(57)【特許請求の範囲】
【請求項１】
計測エリアに設けられ、計測器の出力を表す出力結果を生成する生成部と、放送制御部とを備えたエリア通信装置と、
情報収集センターエリアに設けられ、放送制御部と、記憶部とを備えたセンター通信装置と、
記憶部と、放送制御部とを備えた移動端末とを具備し、
前記エリア通信装置の放送制御部は、前記出力結果を放送電波により送信し、
前記移動端末の放送制御部は、前記移動端末が前記計測エリアに移動してきたとき、前記エリア通信装置からの前記出力結果を受信し、前記移動端末の記憶部に格納し、
前記センター通信装置の放送制御部は、前記出力結果の送信を前記移動端末に指示する送信指示を前記放送電波により送信し、
前記移動端末の放送制御部は、前記移動端末が前記情報収集センターエリアに移動してきたとき、前記センター通信装置からの前記送信指示を受信し、前記移動端末の記憶部に格納された前記出力結果を無線通信により前記センター通信装置に送信し、
前記センター通信装置の放送制御部は、前記移動端末からの前記出力結果を受信し、前記センター通信装置の記憶部に格納する
自動通信システム。
【請求項２】
請求項１に記載の自動通信システムにおいて、
前記エリア通信装置は、通信路に接続された通信制御部を更に備え、
前記センター通信装置は、前記通信路に接続された通信制御部を更に備え、
前記通信路が正常である場合、
前記エリア通信装置の通信制御部は、前記出力結果を前記センター通信装置に前記通信路を介して送信し、
前記センター通信装置の通信制御部は、前記エリア通信装置からの前記出力結果を受信し、前記センター通信装置の記憶部に格納する
自動通信システム。
【請求項３】
請求項１又は２に記載の自動通信システムにおいて、
前記移動端末が複数の前記計測エリアを経由して移動するとき、前記移動端末の放送制御部は、前記複数の計測エリアに設けられた複数の前記エリア通信装置からの前記出力結果を前記移動端末の記憶部に順次格納する
自動通信システム。
【請求項４】
請求項１〜３のいずれかに記載の自動通信システムにおいて、
複数の前記センター通信装置の各々は、センター用通信路に接続された通信制御部を更に備え、
前記複数のセンター通信装置は、それぞれ複数の前記情報収集センターエリアに設けられ、
前記センター通信装置の通信制御部は、自己の前記センター通信装置の記憶部に格納された前記出力結果を、前記センター用通信路を介して、前記複数のセンター通信装置のうちの、前記自己のセンター通信装置以外の別のセンター通信装置に送信する
自動通信システム。
【請求項５】
請求項４に記載の自動通信システムにおいて、
前記自己のセンター通信装置の通信制御部は、前記自己のセンター通信装置の記憶部に格納された前記出力結果と、前記自己のセンター通信装置を識別するセンターＩＤとを含むエリア出力結果を前記出力結果として、前記センター用通信路を介して、前記別のセンター通信装置に送信する
自動通信システム。
【請求項６】
請求項１〜５のいずれかに記載の自動通信システムにおいて、
前記出力結果は、前記計測エリアを識別するエリアＩＤと、前記計測器を識別する計測器ＩＤと、前記計測エリアに設けられた前記計測器の出力と、前記計測器の出力を受け取ったときの取得日時とを含む
自動通信システム。
【請求項７】
請求項６に記載の自動通信システムにおいて、
前記センター通信装置の放送制御部は、前記センター通信装置の記憶部に既に格納されている前記出力結果と、前記移動端末からの前記出力結果とを比較して、前記取得日時が新しいものを前記センター通信装置の記憶部に格納する
自動通信システム。
【請求項８】
請求項１〜６のいずれかに記載の自動通信システムにおいて、
前記出力結果は、
前記計測エリアにおける前記出力結果と、前記移動端末を識別する移動端末識別情報と、前記計測エリアにおける前記出力結果を前記移動端末が受信したときの移動端末受信日時とを含む
自動通信システム。
【請求項９】
請求項８に記載の自動通信システムにおいて、
前記センター通信装置の放送制御部は、前記センター通信装置の記憶部に既に格納されている前記出力結果に上書きせずに、前記移動端末からの前記出力結果を前記センター通信装置の記憶部に格納する
自動通信システム。
【請求項１０】
請求項１〜９のいずれかに記載の自動通信システムにおいて、
前記移動端末の放送制御部は、
前記移動端末が前記情報収集センターエリアに移動してきたとき、
前記センター通信装置からの前記送信指示に応じて、前記移動端末の記憶部から前記出力結果を読み出して、前記無線通信により前記センター通信装置に送信し、
前記移動端末の記憶部に格納された前記出力結果を消去する
自動通信システム。
【請求項１１】
請求項１〜１０のいずれかに記載の自動通信システムにおいて、
前記移動端末の放送制御部は、前記移動端末の利用者がテレビ番組を視聴するための放送を受信し、
前記放送は、デジタル放送である
自動通信システム。
【発明の詳細な説明】
【技術分野】
【０００１】
本発明は、計測器の出力を蓄積する自動通信システムに関する。
【背景技術】
【０００２】
複数のエリアに計測器を設け、その計測器の出力を蓄積する通信装置が開発されている。この通信装置は、通信制御部と、記憶部とを具備している。通信制御部は、通信路を介して、複数のエリアに設けられた計測器に接続されている。通信制御部は、複数のエリアに設けられた計測器の出力を表す出力結果を受信し、記憶部に蓄積（格納）する。システムの作業員は、その複数のエリアにおける出力結果を閲覧（参照）することにより、複数のエリアの各々で災害や事件が発生しているか否かを判断することができる。
【０００３】
しかしながら、複数のエリアのうちの第１エリアでは、災害や事件が発生したことにより、第１エリアに設けられた計測器と通信制御部とを接続する通信路が断絶している場合がある。また、複数のエリアのうちの第２エリアでは、何らかの原因で、第２エリアに設けられた計測器と通信制御部とを接続する通信路が断絶している場合がある。この場合、通信制御部は、第１、第２エリアにおける出力結果を受信できず、記憶部に格納することもできない。その結果、作業員は、第１、第２エリアにおける出力結果を閲覧することができず、第１、第２エリアで災害や事件が発生しているか否かを判断することができなくなってしまう。
【０００４】
通信路が断絶していても、計測器の出力を蓄積できることが望ましい。
【０００５】
災害に関連する技術を紹介する。
【０００６】
特開２００５−１７４１１１号公報に優先緊急通報システムが記載されている。この優先緊急通報システムは、防災等緊急通報の通報情報を受信する携帯通信情報端末に優先通報される優先緊急通報手段であって、自然災害等緊急状況に関する情報を管理する外部防災等情報手段からの防災情報等緊急通報を特定の防災管理地域に合わせた前記通報情報に適合管理する危機通報管理手段と、前記通報情報を優先通信する通信手段とを備えている。前記通報情報を優先受信する携帯通信情報端末を通して優先通報されるもので、前記危機通報管理手段は、前記防災情報を前記防災管理地域に前記適合管理化された前記通報情報を優先緊急通報する情報管理機能を有している。優先緊急通報システムは、更に、前記防災情報を受信する情報受信部と、前記通報情報を管理する情報管理部と、前記通報情報を発信する情報発信部と、前記通報情報以外の通信信号に優先して送信する優先通信手段を有する通信手段とを備えている。前記携帯通信情報端末は、前記通報情報を受信する端末受信部と、前記通報情報を前記通報情報以外の通信信号に優先して受信する端末優先受信手段と、前記通報情報を管理する端末管理部を備えている。優先緊急通報システムは、これらの上記構成を通して前記防災等緊急通報の前記通報情報が前記携帯通信情報端末に通報されることを特徴としている。これにより、自治体、行政区域の限界を超えて発生する広域防災等緊急事態において、広域防災地域で生活する地域生活者、一般不特定多数の個人に対して防災等緊急事態を瞬時かつ一斉に緊急公知する。
【０００７】
【特許文献１】特開２００５−１７４１１１号公報（請求項１）
【発明の開示】
【発明が解決しようとする課題】
【０００８】
本発明の課題は、通信路が断絶していても、計測器の出力を蓄積することができる自動通信システムを提供することにある。
本発明の他の課題は、災害や事件が発生しているか否かをシステムの作業員が判断できる自動通信システムを提供することにある。
本発明の更に他の課題は、収集効率を改善することができる自動通信システムを提供することにある。
本発明の更に他の課題は、通信断絶が発生していることをシステムの作業員が把握できる自動通信システムを提供することにある。
本発明の更に他の課題は、システムの作業員が避難計画を立てたり、それを見直したりすることができる自動通信システムを提供することにある。
【課題を解決するための手段】
【０００９】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明の第１の観点による自動通信システムでは、エリア通信装置（３−ｉ）（ｉ＝１、２、…、ｍ）と、センター通信装置（１）と、移動端末（５−ｊ）（ｊ＝１、２、…、ｎ）とを具備している。
前記エリア通信装置（３−ｉ）（ｉ＝１、２、…、ｍ）は、計測エリア（Ｂ−ｉ）（ｉ＝１、２、…、ｍ）に設けられている。前記エリア通信装置（３−ｉ）は、その計測エリア（Ｂ−ｉ）に設けられた計測器（４−ｉ）の出力を表す出力結果（Ｂ−ｉ’）を生成する生成部（３４）と、通信路（２）に接続された通信制御部（３２）と、放送制御部（３３）とを備えている。
前記センター通信装置（１）は、情報収集センターエリア（Ａ）に設けられている。前記センター通信装置（１）は、前記通信路（２）に接続された通信制御部（１２）と、放送制御部（１３）と、記憶部（１５）とを備えている。
前記移動端末（５−ｊ）（ｊ＝１、２、…、ｎ）は、記憶部（５５）を備えている。
例えば、前記通信路（２）が正常である。
この場合、前記エリア通信装置（３−ｉ）の通信制御部（３２）は、前記出力結果（Ｂ−ｉ’）を前記センター通信装置（１）に前記通信路（２）を介して送信する。
前記センター通信装置（１）の通信制御部（１２）は、前記エリア通信装置（３−ｉ）からの前記出力結果（Ｂ−ｉ’）を受信し、前記センター通信装置（１）の記憶部（１５；１７）に格納する。
一方、前記通信路（２）が断絶している場合がある。そこで、データ放送が必須として標準規格化されているデジタル放送を用いる。この標準規格により、特定のデータ放送を強制的に受信させる放送機能を放送設備（エリア通信装置（３−ｉ）、センター通信装置（１））や受信機に実装することが可能である。さらに、特定のデジタル放送に含まれるデータ放送を用いることにより、受信機に強制的に特定のデータを格納させたり、受信機に格納したデータをＨＴＴＰ（Ｈｙｐｅｒ  Ｔｅｘｔ  Ｔｒａｎｓｆｅｒ  Ｐｒｏｔｏｃｏｌ）通信によって送信したりすることが可能である。この放送機能は、放送電波（６）を利用して、エリア通信装置やセンター通信装置から、受信機にデータ放送を送信する。
上記の受信機として、移動端末（５−ｊ）が例示される。移動端末（５−ｊ）に対しては、デジタル放送規格に則った実装がされていれば、本システムのための追加の実装は必要ない。
前記エリア通信装置（３−ｉ）、前記センター通信装置（１）、前記移動端末（５−ｊ）は、それぞれ、上記放送機能として、放送制御部（３３）、放送制御部（１３）、放送制御部（５３）を更に備えている。
この場合、前記エリア通信装置（３−ｉ）の放送制御部（３３）は、前記出力結果（Ｂ−ｉ’）を前記放送電波（６）により送信する。
前記移動端末（５−ｊ）の放送制御部（５３）は、前記移動端末（５−ｊ）が前記計測エリア（Ｂ−ｉ）に移動してきたとき、前記エリア通信装置（３−ｉ）からの前記出力結果（Ｂ−ｉ’）を受信し、前記移動端末（５−ｊ）の記憶部（５５）に格納する。
ここで、前記センター通信装置（１）の放送制御部（１３）は、前記出力結果（Ｂ−ｉ’）の送信を前記移動端末（５−ｊ）に指示する送信指示を前記放送電波（６）により送信している。
前記移動端末（５−ｊ）の放送制御部（５３）は、前記移動端末（５−ｊ）が前記情報収集センターエリア（Ａ）に移動してきたとき、前記センター通信装置（１）からの前記送信指示に応じて、前記移動端末（５−ｊ）の記憶部（５５）に格納された前記出力結果（ＭＢ−ｉ’（Ｂ−ｉ’））をＨＴＴＰ無線通信により前記センター通信装置（１）に送信する。
前記センター通信装置（１）の放送制御部（１３）は、前記移動端末（５−ｊ）からの前記出力結果（ＭＢ−ｉ’（Ｂ−ｉ’））を受信し、前記センター通信装置（１）の記憶部（１５；１８）に格納する。
【００１１】
このように、本発明の第１の観点による自動通信システムによれば、前記通信路（２）が断絶していても、特定のデータ放送として放送電波（６）を利用することにより、前記センター通信装置（１）は、その記憶部（１５；１７、１８）に前記計測器（４−ｉ）の出力を蓄積することができる。その結果、システムの作業員は、前記計測エリア（Ｂ−ｉ）における出力結果（Ｂ−ｉ’）｛断絶エリア出力結果（ＭＢ−ｉ’）｝を閲覧（参照）することにより、前記計測エリア（Ｂ−ｉ）で災害や事件が発生しているか否かを判断することができる。
【００１２】
本発明の第１の観点による自動通信システムでは、更に、前記エリア通信装置（３−ｉ）を含む複数のエリア通信装置（３−１〜３−ｍ）（ｍは２以上の整数）を具備している。
前記複数のエリア通信装置（３−１〜３−ｍ）は、それぞれ、前記計測エリア（Ｂ−ｉ）を含む複数の計測エリア（Ｂ−１〜Ｂ−ｍ）に設けられている。
例えば、前記複数のエリア通信装置（３−１〜３−ｍ）のうちの正常エリア通信装置（３−４〜３−ｍ）は、前記正常エリア通信装置（３−４〜３−ｍ）と前記センター通信装置（１）とを接続する前記通信路（２）が正常である正常計測エリア（Ｂ−４〜Ｂ−ｍ）に設けられている。
この場合、前記正常エリア通信装置（３−４〜３−ｍ）の通信制御部（３２）は、前記正常計測エリア（Ｂ−４〜Ｂ−ｍ）における前記出力結果（Ｂ−４’〜Ｂ−ｍ’）を正常エリア出力結果として前記センター通信装置（１）に前記通信路（２）を介して送信する。
前記センター通信装置（１）の通信制御部（１２）は、前記正常エリア通信装置（３−４〜３−ｍ）からの前記正常エリア出力結果（Ｂ−４’〜Ｂ−ｍ’）を受信し、前記センター通信装置（１）の記憶部（１５；１７）に格納する。
例えば、前記複数のエリア通信装置（３−１〜３−ｍ）のうちの断絶エリア通信装置（３−１〜３−３）は、前記断絶エリア通信装置（３−１〜３−３）と前記センター通信装置（１）とを接続する前記通信路（２）が断絶している断絶計測エリア（Ｂ−１〜Ｂ−３）に設けられている。
この場合、前記断絶エリア通信装置（３−１〜３−３）の放送制御部（３３）は、前記断絶計測エリア（Ｂ−１〜Ｂ−３）における前記出力結果（Ｂ−１’〜Ｂ−３’）を前記放送電波（６）により送信する。
前記移動端末（５−ｊ）の放送制御部（５３）は、前記移動端末（５−ｊ）が前記断絶計測エリア（Ｂ−１〜Ｂ−３）に移動してきたとき、前記断絶エリア通信装置（３−１〜３−３）からの前記断絶計測エリア（Ｂ−１〜Ｂ−３）における前記出力結果（Ｂ−１’〜Ｂ−３’）を受信し、断絶エリア出力結果（ＭＢ−１’〜ＭＢ−３’）として前記移動端末（５−ｊ）の記憶部（５５）に格納する。
次に、前記移動端末（５−ｊ）の放送制御部（５３）は、前記移動端末（５−ｊ）が前記情報収集センターエリア（Ａ）に移動してきたとき、前記センター通信装置（１）からの前記放送電波（６）による前記送信指示に応じて、前記移動端末（５−ｊ）の記憶部（５５）に格納された前記断絶エリア出力結果（ＭＢ−１’〜 ＭＢ−３’）を前記ＨＴＴＰ無線通信により前記センター通信装置（１）に送信する。
前記センター通信装置（１）の放送制御部（１３）は、前記移動端末（５−ｊ）からの前記断絶エリア出力結果（ＭＢ−１’〜ＭＢ−３’）を受信し、前記センター通信装置（１）の記憶部（１５；１８）に格納する。
【００１３】
このように、本発明の第１の観点による自動通信システムによれば、前記センター通信装置（１）は、前記正常エリア出力結果（Ｂ−４’〜Ｂ−ｍ’）を前記正常エリア通信装置（３−４〜３−ｍ）から受信し、その記憶部（１５；１７）に格納する。また、前記センター通信装置（１）は、特定のデータ放送として放送電波（６）を利用することにより、前記断絶エリア出力結果（ＭＢ−１’〜ＭＢ−３’）を前記移動端末（５−ｊ）から受信し、その記憶部（１５；１８）に格納する。その結果、システムの作業員は、正常エリア出力結果（Ｂ−４’〜Ｂ−ｍ’）、断絶エリア出力結果（ＭＢ−１’〜ＭＢ−３’）を閲覧（参照）することにより、前記複数の計測エリア（Ｂ−１〜Ｂ−ｍ）の各々で災害や事件が発生しているか否かを判断することができる。
【００１４】
本発明の第１の観点による自動通信システムにおいて、前記断絶計測エリア（Ｂ−１〜Ｂ−３）のうちの第１断絶計測エリア（Ｂ−１、Ｂ−２）は、Ｍ個（Ｍは自然数）（Ｍ＝２とする）の断絶エリアを含んでいる。
前記断絶エリア通信装置（３−１〜３−３）のうちの第１断絶エリア通信装置は、前記第１断絶エリアに含まれる前記Ｍ個の断絶計測エリア（Ｂ−１、Ｂ−２）にそれぞれ設けられたＭ個の断絶エリア通信装置（３−１、３−２）を含んでいる。
前記Ｍ個の断絶エリア通信装置（３−１、３−２）の放送制御部（３３）は、それぞれ、前記Ｍ個の断絶計測エリア（Ｂ−１、Ｂ−２）における前記出力結果（Ｂ−１’、Ｂ−２’）を前記放送電波（６）により送信する。
前記移動端末（５−ｊ）の放送制御部（５３）は、前記移動端末（５−ｊ）が前記Ｍ個の断絶計測エリア（Ｂ−１、Ｂ−２）を１番目からＭ番目までこの順に移動してきたとき、前記Ｍ個の断絶計測エリア（Ｂ−１、Ｂ−２）における前記出力結果（Ｂ−１’、Ｂ−２’）を１番目からＭ番目までこの順に受信し、前記断絶エリア出力結果（ＭＢ−１’、ＭＢ−２’）として前記移動端末（５−ｊ）の記憶部（５５）に１番目からＭ番目までこの順に格納する。
前記移動端末（５−ｊ）の放送制御部（５３）は、前記移動端末（５−ｊ）が前記情報収集センターエリア（Ａ）に移動してきたとき、前記センター通信装置（１）からの前記放送電波（６）による前記送信指示に応じて、前記移動端末（５−ｊ）の記憶部（５５）に格納された前記断絶エリア出力結果（ＭＢ−１’、ＭＢ−２’）を前記ＨＴＴＰ無線通信により前記センター通信装置（１）に送信する。
前記センター通信装置（１）の放送制御部（１３）は、前記移動端末（５−ｊ）からの前記断絶エリア出力結果（ＭＢ−１’、ＭＢ−２’）を受信し、前記センター通信装置（１）の記憶部（１５；１８）に格納する。
【００１５】
このように、本発明の第１の観点による自動通信システムによれば、前記移動端末（５−ｊ）の利用者が、前記断絶計測エリア（Ｂ−１〜Ｂ−３）のうちの前記第１断絶エリアである前記Ｍ個の断絶計測エリア（Ｂ−１、Ｂ−２）を１番目からＭ番目までこの順に移動し、その後、前記情報収集センターエリア（Ａ）に移動した場合、前記センター通信装置（１）は、断絶エリア出力結果（ＭＢ−１’、ＭＢ−２’）を前記移動端末（５−ｊ）から受信し、その記憶部（１５；１８）に格納することができる。その結果、システムの作業員は、断絶エリア出力結果（ＭＢ−１’、ＭＢ−２’）を閲覧（参照）することにより、前記第１断絶計測エリア（Ｂ−１、Ｂ−２）で災害や事件が発生しているか否かを判断することができる。
【００１６】
本発明の第１の観点による自動通信システムは、更に、前記移動端末（５−ｊ）を含む複数の移動端末（５−１〜５−ｎ）（ｎは２以上の整数）を具備している。
前記断絶計測エリア（Ｂ−１〜Ｂ−３）のうちの前記第１断絶計測エリア（Ｂ−１、Ｂ−２）以外の第２断絶計測エリア（Ｂ−３）には、前記断絶エリア通信装置（３−１〜３−３）のうちの前記第１断絶エリア通信装置（３−１、３−２）以外の第２断絶エリア通信装置（３−３）が設けられている。
この場合、前記第１、第２断絶エリア通信装置（３−１、３−２）（３−３）は、それぞれ、前記第１、第２断絶計測エリア（Ｂ−１、Ｂ−２）（Ｂ−３）における前記出力結果（Ｂ−１’、Ｂ−２’）（Ｂ−３’）を前記放送電波（６）により送信する。
前記複数の移動端末（５−１〜５−ｎ）のうちの第１、第２移動端末（５−１）（５−２）は、それぞれ、前記第１、第２移動端末（５−１）（５−２）が前記第１、第２断絶計測エリア（Ｂ−１、Ｂ−２）（Ｂ−３）に移動してきたとき、前記第１、第２断絶エリア通信装置（３−１、３−２）（３−３）からの前記第１、第２断絶計測エリア（Ｂ−１、Ｂ−２）（Ｂ−３）における前記出力結果（Ｂ−１’、Ｂ−２’）（Ｂ−３’）を受信し、前記断絶エリア出力結果である第１、第２断絶エリア出力結果（ＭＢ−１’、ＭＢ−２’）（ＭＢ−３’）として前記第１、第２移動端末（５−１）（５−２）の記憶部（５５）に格納する。
次に、前記第１、第２移動端末（５−１）（５−２）は、それぞれ、前記第１、第２移動端末（５−１）（５−２）が前記情報収集センターエリア（Ａ）に移動してきたとき、前記センター通信装置（１）からの前記放送電波（６）による前記送信指示に応じて、前記第１、第２移動端末（５−１）（５−２）の記憶部（５５）に格納された前記第１、第２断絶エリア出力結果（ＭＢ−１’、ＭＢ−２’）（ＭＢ−３’）を前記ＨＴＴＰ無線通信により前記センター通信装置（１）に送信する。
前記センター通信装置（１）の放送制御部（１３）は、前記第１、第２移動端末（５−１）（５−２）からの前記第１、第２断絶エリア出力結果（ＭＢ−１’、ＭＢ−２’）（ＭＢ−３’）を受信し、前記センター通信装置（１）の記憶部（１５；１８）に格納する。
【００１７】
このように、本発明の第１の観点による自動通信システムによれば、前記第１、第２移動端末（５−１）（５−２）の利用者が、前記断絶計測エリア（Ｂ−１〜Ｂ−３）のうちの前記第１、第２断絶計測エリア（Ｂ−１、Ｂ−２）（Ｂ−３）に移動し、その後、前記情報収集センターエリア（Ａ）に移動した場合、前記センター通信装置（１）は、前記第１、第２断絶エリア出力結果（ＭＢ−１’、ＭＢ−２’）（ＭＢ−３’）を前記第１、第２移動端末（５−１）（５−２）から受信し、その記憶部（１５；１８）に格納することができる。その結果、システムの作業員は、前記第１、第２断絶エリア出力結果（ＭＢ−１’、ＭＢ−２’）（ＭＢ−３’）を閲覧（参照）することにより、前記第１、第２断絶計測エリア（Ｂ−１、Ｂ−２）（Ｂ−３）で災害や事件が発生しているか否かを判断することができる。
【００１８】
本発明の第２の観点による自動通信システムは、第１の観点に対して、更に、前記センター通信装置（１）を含む複数のセンター通信装置（１−１〜１−ｘ）（ｘは２以上の整数）を具備している。
前記複数のセンター通信装置（１−１〜１−ｘ）は、それぞれ、前記情報収集センターエリア（Ａ）を含む複数の情報収集センターエリア（Ａ−１〜Ａ−ｘ）に設けられている。
前記複数のセンター通信装置（１−１〜１−ｘ）のうちの第１、第２センター通信装置（１−１）（１−２）は、それぞれ、前記複数の情報収集センターエリア（Ａ−１〜Ａ−ｘ）のうちの第１、第２情報収集センターエリア（Ａ−１）（Ａ−２）に設けられている。
この場合、前記第１、第２移動端末（５−１）（５−２）の放送制御部（５３）は、それぞれ、前記第１、第２移動端末（５−１）（５−２）が前記第１、第２断絶計測エリア（Ｂ−１、Ｂ−２）（Ｂ−３）に移動してきたとき、前記第１、第２断絶エリア通信装置（３−１、３−２）（３−３）からの前記第１、第２断絶計測エリア（Ｂ−１、Ｂ−２）（Ｂ−３）における前記出力結果（Ｂ−１’、Ｂ−２’）（Ｂ−３’）を受信し、前記第１、第２断絶エリア出力結果（ＭＢ−１’、ＭＢ−２’）（ＭＢ−３’）として前記第１、第２移動端末（５−１）（５−２）の記憶部（５５）に格納する。
次に、前記第１、第２移動端末（５−１）（５−２）の放送制御部（５３）は、それぞれ、前記第１、第２移動端末（５−１）（５−２）が前記第１、第２情報収集センターエリア（Ａ−１）（Ａ−２）に移動してきたとき、前記第１、第２センター通信装置（１−１）（１−２）からの前記放送電波（６）による前記送信指示に応じて、前記第１、第２移動端末（５−１）（５−２）の記憶部（５５）に格納された前記第１、第２断絶エリア出力結果（ＭＢ−１’、ＭＢ−２’）（ＭＢ−３’）を前記ＨＴＴＰ無線通信により前記第１、第２センター通信装置（１−１）（１−２）に送信する。
前記第１、第２センター通信装置（１−１）（１−２）の放送制御部（１３）は、それぞれ、前記第１、第２移動端末（５−１）（５−２）からの前記第１、第２断絶エリア出力結果（ＭＢ−１’、ＭＢ−２’）（ＭＢ−３’）を受信し、前記第１、第２センター通信装置（１−１）（１−２）の記憶部（１５；１８）に格納する。
前記第１、第２センター通信装置（１−１）（１−２）の通信制御部（１２）は、前記第１、第２断絶エリア出力結果（ＭＢ−１’、ＭＢ−２’）（ＭＢ−３’）に対する連携格納処理を実行する。前記連携格納処理の実行として、前記第１、第２センター通信装置（１−１）（１−２）の通信制御部（１２）は、それぞれ、前記第１、第２断絶エリア出力結果（ＭＢ−１’、ＭＢ−２’）（ＭＢ−３’）を、前記複数のセンター通信装置（１−１〜１−ｘ）のうちの自己のセンター通信装置（１−１）（１−２）以外のセンター通信装置（１−２〜１−ｘ）（１−１、１−３〜１−ｘ）にセンター用通信路｛前記通信路（２）｝を介して送信する。
前記自己のセンター通信装置（１−１）（１−２）以外のセンター通信装置（１−２〜１−ｘ）（１−１、１−３〜１−ｘ）の通信制御部（１２）は、前記第１、第２センター通信装置（１−１）（１−２）からの前記第１、第２断絶エリア出力結果（ＭＢ−１’、ＭＢ−２’）（ＭＢ−３’）を受信し、前記自己のセンター通信装置（１−１）（１−２）以外のセンター通信装置（１−２〜１−ｘ）（１−１、１−３〜１−ｘ）の記憶部（１５；１８）に格納する。
【００１９】
本発明の第１の観点による自動通信システムでは、前記第１、第２移動端末（５−１）（５−２）の利用者が前記情報収集センターエリア（Ａ）に移動した場合、前記センター通信装置（１）は、断絶エリア出力結果（ＭＢ−１’〜ＭＢ−３’）を前記第１、第２移動端末（５−１）（５−２）から受信し、その記憶部（１５；１８）に格納する。この場合、前記情報収集センターエリア（Ａ）を広範囲に設定しなければならない。
本発明の第２の観点による自動通信システムでは、前記複数の情報収集センターエリア（Ａ−１〜Ａ−ｘ）にそれぞれ前記複数のセンター通信装置（１−１〜１−ｘ）を設けておく。前記第１、第２移動端末（５−１）（５−２）の利用者が前記複数の情報収集センターエリア（Ａ−１〜Ａ−ｘ）のうちの１つの情報収集センターエリア｛第１、第２情報収集センターエリア（Ａ−１）（Ａ−２）｝に移動した場合、前記第１、第２センター通信装置（１−１）（１−２）は、前記第１、第２断絶エリア出力結果（ＭＢ−１’、ＭＢ−２’）（ＭＢ−３’）を前記第１、第２移動端末（５−１）（５−２）から受信し、その記憶部（１５；１８）に格納する。その後、前記複数のセンター通信装置（１−１〜１−ｘ）は、前記連携格納処理を実行することにより、前記第１、第２断絶エリア出力結果（ＭＢ−１’、ＭＢ−２’）（ＭＢ−３’）を、その記憶部（１５；１８）に格納する。この場合、前記複数の情報収集センターエリア（Ａ−１〜Ａ−ｘ）を広範囲に設定する必要がなく、前記第１、第２断絶エリア出力結果（ＭＢ−１’、ＭＢ−２’）（ＭＢ−３’）を収集するための収集効率が改善される。
【００２０】
本発明の第３の観点による自動通信システムは、第２の観点による自動通信システムと同じ構成である。
例えば、前記第２センター通信装置（１−２）と、前記複数のセンター通信装置（１−１〜１−ｘ）のうちの前記第２センター通信装置（１−２）以外のセンター通信装置（１−１、１−３〜１−ｘ）とを接続する前記センター用通信路｛前記通信路（２）｝が断絶している。
この場合、前記第２センター通信装置（１−２）の放送制御部（１３）は、前記第２センター通信装置（１−２）の記憶部（１５；１８）に格納された前記第２断絶エリア出力結果（ＭＢ−３’）と、前記第２センター通信装置（１−２）を識別するセンターＩＤ（“Ａ２”）とを含む断絶エリア出力結果を前記第２断絶エリア出力結果（ＭＢ−３’’）として、前記放送電波（６）により送信する。
前記複数の移動端末（５−１〜５−ｎ）のうちの第３移動端末（５−３）は、前記第３移動端末（５−３）が前記第２情報収集センターエリア（Ａ−２）に移動してきたとき、前記第２センター通信装置（１−２）からの前記第２断絶エリア出力結果（ＭＢ−３’’）を受信し、前記第３移動端末（５−３）の記憶部（５５）に格納する。
次に、前記第３移動端末（５−３）は、前記第３移動端末（５−３）が前記第１情報収集センターエリア（Ａ−１）に移動してきたとき、前記第１センター通信装置（１−１）からの前記放送電波（６）による前記送信指示に応じて、前記第３移動端末（５−３）の記憶部（５５）に格納された前記第２断絶エリア出力結果（ＭＢ−３’’）を前記ＨＴＴＰ無線通信により前記第１センター通信装置（１−１）に送信する。
前記第１センター通信装置（１−１）の放送制御部（１３）は、前記第３移動端末（５−３）からの前記第２断絶エリア出力結果（ＭＢ−３’’）を受信し、前記第１センター通信装置（１−１）の記憶部（１５；１８）に格納する。
前記第１センター通信装置（１−１）の通信制御部（１２）は、前記第２断絶エリア出力結果（ＭＢ−３’’）に対する前記連携格納処理を実行する。
【００２１】
本発明の第２の観点による自動通信システムでは、前記複数の情報収集センターエリア（Ａ−１〜Ａ−ｘ）にそれぞれ前記複数のセンター通信装置（１−１〜１−ｘ）が設けられているが、例えば、前記第２センター通信装置（１−２）に接続された通信路（２）が断絶した場合、前記第２センター通信装置（１−２）は、前記第２センター通信装置（１−２）以外のセンター通信装置（１−１、１−３〜１−ｘ）及び前記複数のエリア通信装置（３−１〜３−ｍ）と通信できない。
本発明の第３の観点による自動通信システムでは、前記第３移動端末（５−３）の利用者が前記第２情報収集センターエリア（Ａ−２）から前記第１情報収集センターエリア（Ａ−１）に移動した場合、前記第１センター通信装置（１−１）は、前記第２断絶エリア出力結果（ＭＢ−３’’）を前記第３移動端末（５−３）から受信し、その記憶部（１５；１８）に格納する。その後、複数のセンター通信装置（１−１、１−３〜１−ｘ）は、前記連携格納処理を実行することにより、前記第２断絶エリア出力結果（ＭＢ−３’’）を、その記憶部（１５；１８）に格納する。その結果、システムの作業員は、第１、第２断絶エリア出力結果（ＭＢ−１’、ＭＢ−２’）（ＭＢ−３’’）を閲覧（参照）することにより、前記第１、第２断絶計測エリア（Ｂ−１、Ｂ−２）（Ｂ−３）で災害や事件が発生しているか否かを判断することができる上に、第２断絶エリア出力結果（ＭＢ−３’’）を閲覧することにより、前記第２情報収集センターエリア（Ａ−２）で何らかの通信断絶が発生していることを把握することができる。
【００２２】
本発明の第１〜第３の観点による自動通信システムにおいて、前記複数のエリア通信装置（３−１〜３−ｍ）の生成部（３４）は、それぞれ、前記複数の計測エリア（Ｂ−１〜Ｂ−ｍ）に設けられた前記計測器（４−１〜４−ｍ）の出力を受け取る。このとき、前記複数のエリア通信装置（３−１〜３−ｍ）の生成部（３４）は、それぞれ、前記複数の計測エリア（Ｂ−１〜Ｂ−ｍ）を識別するエリアＩＤ（“Ｂ１”〜“Ｂｍ”）と、前記複数の計測エリア（Ｂ−１〜Ｂ−ｍ）に設けられた前記計測器（４−１〜４−ｍ）を識別する計測器ＩＤ（“００１”〜“００５”）と、前記複数の計測エリア（Ｂ−１〜Ｂ−ｍ）に設けられた前記計測器（４−１〜４−ｍ）の出力と、前記複数の計測エリア（Ｂ−１〜Ｂ−ｍ）に設けられた前記計測器（４−１〜４−ｍ）の出力を受け取ったときの取得日時とを含む前記出力結果（Ｂ−１’〜Ｂ−ｍ’）を生成する。
【００２３】
本発明の第１〜第３の観点による自動通信システムにおいて、前記センター通信装置（１）の記憶部（１５）は、前記正常エリア出力結果（Ｂ−４’〜Ｂ−ｍ’）が格納される正常エリア集計データベース（１７）と、前記断絶エリア出力結果（ＭＢ−１’〜ＭＢ−３’）が格納される断絶エリア集計データベース（１８）とを含んでいる。
前記正常エリア集計データベース（１７）に既に格納されている前記正常エリア出力結果と、前記正常エリア通信装置（３−４〜３−ｍ）からの前記正常エリア出力結果（Ｂ−４’〜Ｂ−ｍ’）とが一致しない。ここで、既に格納されている前記正常エリア出力結果と、前記正常エリア出力結果（Ｂ−４’〜Ｂ−ｍ’）とを比較して、前記正常エリア出力結果（Ｂ−４’〜Ｂ−ｍ’）の取得日時が新しい。この場合、前記センター通信装置（１）の通信制御部（１２）は、前記正常エリア通信装置（３−４〜３−ｍ）からの前記正常エリア出力結果（Ｂ−４’〜Ｂ−ｍ’）を前記正常エリア集計データベース（１７）に格納する。
前記断絶エリア集計データベース（１８）に既に格納されている前記断絶エリア出力結果と、前記移動端末（５−ｊ）からの前記断絶エリア出力結果（ＭＢ−１’〜ＭＢ−３’）とが一致しない。ここで、既に格納されている前記断絶エリア出力結果と、前記断絶エリア出力結果（ＭＢ−１’〜ＭＢ−３’）とを比較して、前記断絶エリア出力結果（ＭＢ−１’〜ＭＢ−３’）の取得日時が新しい。この場合、前記センター通信装置（１）の放送制御部（１３）は、前記移動端末（５−ｊ）からの前記断絶エリア出力結果（ＭＢ−１’〜ＭＢ−３’）を前記断絶エリア集計データベース（１８）に格納する。
【００２４】
本発明の第４の観点による自動通信システムでは、第１〜第３の観点による自動通信システムと同じ構成である。
前記断絶エリア出力結果（ＭＢ−１’〜ＭＢ−３’）は、前記断絶計測エリア（Ｂ−１〜Ｂ−３）における前記出力結果（Ｂ−１’〜Ｂ−３’）と、前記移動端末（５−ｊ）を識別する移動端末識別情報と、前記断絶計測エリア（Ｂ−１〜Ｂ−３）における前記出力結果（Ｂ−１’〜Ｂ−３’）を前記移動端末（５−ｊ）が受信したときの移動端末受信日時とを含んでいる。
【００２５】
このように、本発明の第４の観点による自動通信システムによれば、前記移動端末（５−ｊ）は、前記断絶計測エリア（Ｂ−１〜Ｂ−３）における前記出力結果（Ｂ−１’〜Ｂ−３’）を受信したとき、前記断絶エリア出力結果（ＭＢ−１’〜ＭＢ−３’）を生成している。特定のデータ放送として放送電波（６）を利用することにより、前記センター通信装置（１）は、前記断絶エリア出力結果（ＭＢ−１’〜ＭＢ−３’）を前記移動端末（５−ｊ）から受信し、その記憶部（１５；１８）に格納する。その結果、システムの作業員は、断絶エリア出力結果（ＭＢ−１’〜ＭＢ−３’）に含まれる移動端末受信日時を閲覧（参照）することにより、前記移動端末（５−ｊ）の利用者の移動経路を推定することができる。例えば、前記第１断絶エリアとして前記Ｍ個の断絶計測エリア（Ｂ−１、Ｂ−２）のうちの１番目の断絶計測エリア（Ｂ−１）で既に災害や事件が発生している場合、システムの作業員は、前記移動端末（５−ｊ）の利用者が、前記Ｍ個の断絶計測エリア（Ｂ−１、Ｂ−２）のうちの１番目の断絶計測エリア（Ｂ−１）からＭ番目の断絶計測エリア（Ｂ−２）に移動していることを把握することができる。前記Ｍ個の断絶計測エリア（Ｂ−１、Ｂ−２）がビル、公園、学校、…を表している場合、システムの作業員は、避難計画を立てたり、それを見直したりすることができる。
【００２６】
本発明の第４の観点による自動通信システムにおいて、前記センター通信装置（１）の記憶部（１５）は、前記正常エリア出力結果（Ｂ−４’〜Ｂ−ｍ’）が格納される正常エリア集計データベース（１７）と、前記断絶エリア出力結果（ＭＢ−１’〜ＭＢ−３’）が格納される断絶エリア集計データベース（１８）とを含んでいる。
前記正常エリア集計データベース（１７）に既に格納されている前記正常エリア出力結果と、前記正常エリア通信装置（３−４〜３−ｍ）からの前記正常エリア出力結果（Ｂ−４’〜Ｂ−ｍ’）とが一致しない。この場合、前記センター通信装置（１）の通信制御部（１２）は、前記正常エリア通信装置（３−４〜３−ｍ）からの前記正常エリア出力結果（Ｂ−４’〜Ｂ−ｍ’）を前記正常エリア集計データベース（１７）に格納する。
一方、前記センター通信装置（１）の放送制御部（１３）は、前記移動端末（５−ｊ）からの前記断絶エリア出力結果（ＭＢ−１’〜ＭＢ−３’）を前記断絶エリア集計データベース（１８）に随時格納する。即ち、上書きせずに前記断絶エリア集計データベース（１８）に格納する。
【００２７】
システムの作業員が前記移動端末（５−ｊ）の利用者の移動経路を推定する場合、前記断絶エリア集計データベース（１８）には、前記断絶エリア出力結果（ＭＢ−１’〜ＭＢ−３’）が上書きされずに、随時格納されることが好ましい。
【００２８】
本発明の第１〜第４の観点による自動通信システムにおいて、前記移動端末（５−ｊ）の放送制御部（５３）は、前記移動端末（５−ｊ）が前記情報収集センターエリア（Ａ）に移動してきたとき、前記センター通信装置（１）からの前記送信指示に応じて、前記移動端末（５−ｊ）の記憶部（５５）から前記出力結果（ＭＢ−ｉ’（Ｂ−ｉ’））を読み出して、前記無線通信により前記センター通信装置（１）に送信する。
このとき、前記移動端末（５−ｊ）の放送制御部（５３）は、前記移動端末（５−ｊ）の記憶部（５５）に格納された前記出力結果（ＭＢ−ｉ’（Ｂ−ｉ’））を消去する。
【００２９】
本発明の第１〜第４の観点による自動通信システムにおいて、前記移動端末（５−ｊ）の放送制御部（５３）は、前記移動端末（５−ｊ）の利用者がテレビ番組を視聴するための放送を受信する。
前記放送は、前記テレビ番組であるテレビ放送、音声放送と、マルチメディアサービスであるデータ放送とを含んでいる。
前記放送電波（６）は、前記データ放送を送受信するための電波である。
【００３０】
本発明の第１〜第４の観点による自動通信システムにおいて、前記放送は、デジタル放送である。
【発明の効果】
【００３１】
本発明の自動通信システムによれば、通信路が断絶していても、計測器の出力を蓄積することができる。
本発明の自動通信システムによれば、災害や事件が発生しているか否かを判断することができる。
本発明の自動通信システムによれば、収集効率を改善することができる。
本発明の自動通信システムによれば、通信断絶が発生していることを把握することができる。
本発明の自動通信システムによれば、避難計画を立てたり、それを見直したりすることができる。
【発明を実施するための最良の形態】
【００３２】
以下に添付図面を参照して、本発明の自動通信システムについて詳細に説明する。
【００３３】
（第１実施形態）
図１は、本発明の第１実施形態による自動通信システムの構成を示している。第１実施形態による自動通信システムは、センター通信装置１と、複数のエリア通信装置３−１〜３−ｍ（ｍは２以上の整数）とを具備している。複数のエリア通信装置３−１〜３−ｍとセンター通信装置１は、通信路２に接続されている。
複数のエリア通信装置３−１〜３−ｍは、それぞれ、複数の計測エリアＢ−１〜Ｂ−ｍに設けられている。その複数の計測エリアＢ−１〜Ｂ−ｍには、それぞれ、複数のエリア通信装置３−１〜３−ｍと接続された複数の計測器４−１〜４−ｍが設けられている。複数のエリア通信装置３−１〜３−ｍは、それぞれ、複数の計測器４−１〜４−ｍの出力を表す出力結果を生成する。
センター通信装置１は、情報収集センターエリアＡに設けられている。このセンター通信装置１は、複数のエリア通信装置３−１〜３−ｍにより生成された出力結果を収集する。
【００３４】
通信路２が正常である。即ち、通信路２が断絶していないものとする。この場合、エリア通信装置３−ｉ（ｉ＝１、２、…、ｍ）は、計測エリアＢ−ｉ（ｉ＝１、２、…、ｍ）に設けられた計測器４−ｉの出力を表す出力結果を生成し、センター通信装置１に通信路２を介して送信する。センター通信装置１は、エリア通信装置３−ｉからの出力結果を受信し、その内部の記憶部に格納する。これにより、センター通信装置１は、計測エリアＢ−ｉにおける出力結果を収集することができる。
通信路２が断絶している。この場合、エリア通信装置３−ｉは、上記の出力結果をセンター通信装置１に通信路２を介して送信しても、センター通信装置１は、エリア通信装置３−ｉからの出力結果を収集することができない。そこで、本発明の第１実施形態による自動通信システムでは、デジタル放送によるデータ放送を利用する。
【００３５】
デジタル放送は、テレビ番組であるテレビ放送、音声放送と、マルチメディアサービスであるデータ放送とを含んでいる。デジタル放送では、データ放送が必須として標準規格化されている。この標準規格により、特定のデジタル放送を強制的に受信させる放送機能を放送設備（エリア通信装置３−ｉ、センター通信装置１）や受信機に実装することが可能である。さらに、特定のデジタル放送に含まれるデータ放送を用いることにより、受信機に強制的に特定のデータを格納させたり、受信機に格納したデータをＨＴＴＰ（Ｈｙｐｅｒ  Ｔｅｘｔ  Ｔｒａｎｓｆｅｒ  Ｐｒｏｔｏｃｏｌ）通信によって送信したりすることが可能である。
上記の受信機として、移動端末が例示される。移動端末５−ｊに対しては、デジタル放送規格に則った実装がされていれば、本システムのための追加の実装は必要ない。
【００３６】
本発明の第１実施形態による自動通信システムは、更に、上記の移動端末である複数の移動端末５−１〜５−ｎ（ｎは２以上の整数）を具備している。移動端末５−ｊ（ｊ＝１、２、…、ｎ）は、その利用者がテレビ番組を視聴するときに、放送局から送信されたデジタル放送を放送電波により受信する。移動端末５−ｊとしては、デジタル放送を受信可能な携帯端末、携帯電話機が例示される。
【００３７】
移動端末５−ｊの放送機能は、断絶エリア通信装置３−１〜３−３、センター通信装置１に対して、移動端末５−ｊの利用者が操作することなく自動的に通信を行なう。
通信路２が断絶している。この場合、エリア通信装置３−ｉの放送機能は、特定のデータ放送を上記の出力結果に重畳（多重化）し、上記の出力結果の格納を指示するデータ放送を、放送電波６により送信する。
移動端末５−ｊの放送機能は、その利用者と共に計測エリアＢ−ｉに移動してきたとき、エリア通信装置３−ｉからの出力結果の格納を指示するデータ放送を受信し、出力結果をその内部の記憶部に格納する。
センター通信装置１の放送機能は、情報収集センターエリアＡに移動してきた移動端末５−ｊから出力結果を収集するために、特定のデータ放送として、出力結果の送信を移動端末５−ｊに指示する送信指示を表すデータ放送を放送電波６により送信する。
次に、移動端末５−ｊの放送機能は、その利用者と共に情報収集センターエリアＡに移動してきたとき、センター通信装置１からの送信指示に応じて、移動端末５−ｊの内部の記憶部に格納された出力結果を読み出し、ＨＴＴＰ無線通信によりセンター通信装置１に送信する。センター通信装置１の放送機能は、移動端末５−ｊからの出力結果を受信し、その内部の記憶部に格納する。これにより、通信路２が断絶していても、センター通信装置１は、計測エリアＢ−ｉにおける出力結果を収集することができる。
【００３８】
このように、本発明の第１実施形態による自動通信システムによれば、通信路２が断絶していても、特定のデータ放送として放送電波６を利用することにより、センター通信装置１は、その内部の記憶部に計測器４−ｉの出力を蓄積することができる。その結果、システムの作業員は、計測エリアＢ−ｉにおける出力結果を閲覧（参照）することにより、計測エリアＢ−ｉで災害や事件が発生しているか否かを判断することができる。
【００３９】
図２は、センター通信装置１の構成を示している。センター通信装置１は、放送アンテナ１０と、制御部１１と、記憶部１５と、出力部２０とを具備している。出力部２０は、表示装置、印刷装置を含んでいる。
記憶部１５は、放送ストリーム蓄積部１６と、正常エリア集計データベース１７と、断絶エリア集計データベース１８とを具備している。放送ストリーム蓄積部１６には、制御部１１が送信するための特定のデータ放送の形式が格納されている。正常エリア集計データベース１７には、エリア通信装置３−ｉからの出力結果が格納される。断絶エリア集計データベース１８には、移動端末５−ｊからの出力結果が格納される。
制御部１１は、ハードウェア（例示；回路）、ソフトウェア（例示；コンピュータプログラム）により実現される。制御部１１は、通信路２に接続された通信制御部１２と、上記の放送機能である放送制御部１３と、通知部１４とを具備している。通信制御部１２は、通信路２が正常であるとき、エリア通信装置３−ｉからの出力結果を受信し、正常エリア出力結果として正常エリア集計データベース１７に格納する。放送制御部１３は、特定のデータ放送として、出力結果の送信を移動端末５−ｊに指示する送信指示を表すデータ放送を、放送アンテナ１０を介して放送電波６により送信する。放送制御部１３は、通信路２が断絶しているとき、移動端末５−ｊからの出力結果を表すデータを受信し、断絶エリア出力結果として断絶エリア集計データベース１８に格納する。通知部１４は、記憶部１５に格納された出力結果を出力部２０に出力する。
【００４０】
図３は、エリア通信装置３−ｉ（ｉ＝１、２、…、ｍ）の構成を示している。エリア通信装置３−ｉは、放送アンテナ３０と、制御部３１と、記憶部３５とを具備している。
制御部３１は、ハードウェア（例示；回路）、ソフトウェア（例示；コンピュータプログラム）により実現される。制御部３１は、通信路２に接続された通信制御部３２と、上記の放送機能である放送制御部３３と、生成部３４とを具備している。
記憶部３５は、放送ストリーム蓄積部３６と、エリア対応データベース３９とを具備している。放送ストリーム蓄積部３６には、制御部３１が送信するための特定のデータ放送の形式が格納されている。
【００４１】
図４は、エリア対応データベース３９を示している。エリア対応データベース３９には、計測エリアＢ−ｉの名称を表すエリア名と、計測エリアＢ−ｉを識別するためのエリアＩＤ“Ｂｉ”と、計測エリアＢ−ｉに設けられた計測器４−ｉの名称を表す計測器名と、その計測器４−ｉを識別する計測器ＩＤとが、本システムの作業員により格納されている。
計測器４−ｉは計測器群を含む。その計測器（計測器４−i；i＝１、２、…、ｍ）は、“震度計（地震感知器）”、“温度計（火災報知器）”、“ガス濃度計”、“放射線計”、“エレベータ用安全装置”であるものとする。この例に限らず、他の計測器でもよい。そこで、エリア対応データベース３９には、計測エリアＢ−ｉのエリア名と、その計測エリアＢ−ｉのエリアＩＤ“Ｂｉ”と、その計測エリアＢ−ｉに設けられた計測器４−ｉの計測器名“震度計”、“温度計”、“ガス濃度計”、“放射線計”、“エレベータ用安全装置”と、その計測器４−ｉの計測器ＩＤ“００１”〜“００５”とが格納されている。
【００４２】
生成部３４は、計測エリアＢ−ｉに設けられた計測器４−ｉの出力を受け取る。この場合、生成部３４は、エリア対応データベース３９を参照して、計測エリアＢ−ｉのエリアＩＤ“Ｂｉ”、計測器４−ｉの計測器ＩＤ“００１”〜“００５”と、計測器４−ｉの出力と、計測器４−ｉの出力を受け取ったときの取得日時とを含む出力結果を生成する。通信制御部３２は、通信路２が正常であるとき、その出力結果をセンター通信装置１に通信路２を介して送信する。放送制御部３３は、通信路２が断絶しているとき、特定のデータ放送を上記の出力結果に重畳し、上記の出力結果の格納を指示するデータ放送を、放送アンテナ３０を介して放送電波６により送信する。
【００４３】
図５は、移動端末５−ｊ（ｊ＝１、２、…、ｎ）の構成を示している。移動端末５−ｊは、アンテナ５０と、制御部５１と、記憶部５５と、出力部６０とを具備している。出力部６０は、表示装置、スピーカを含んでいる。
記憶部５５は、データ放送用記憶領域５６を具備している。
制御部５１は、ハードウェア（例示；回路）、ソフトウェア（例示；コンピュータプログラム）により実現される。制御部５１は、上記の放送機能である放送制御部５３を具備している。
放送制御部５３は、放送局から送信されたデジタル放送を放送電波により受信し、デジタル放送に含まれるテレビ放送を出力部６０の表示装置に表示し、デジタル放送に含まれる音声放送を出力部６０のスピーカに出力する。これにより、利用者は、テレビ番組を視聴することができる。また、制御部５１は、更に、ｄボタン（データ放送用のボタン）を具備し、利用者がｄボタンを押すことにより、放送制御部５３は、デジタル放送に含まれるデータ放送を出力部６０の表示装置に表示する。これにより、利用者は、データ放送を視聴することができる。ただし、データ放送の構成によっては、利用者がdボタンを押すことなく、データ放送を出力部６０の表示装置に表示する。
また、放送制御部５３は、特定のデータ放送を受信したとき、データ放送用記憶領域５６に格納する。放送制御部５３は、移動端末５−ｊが計測エリアＢ−ｉに移動してきたとき、特定のデータ放送として、エリア通信装置３−ｉからの出力結果の保存を指示するデータ放送を受信する。放送制御部５３は、このデータ放送に応じて、特定のデータとして、エリア通信装置３−ｉからの出力結果を受信し、データ放送用記憶領域５６に格納する。放送制御部５３は、移動端末５−ｊが情報収集センターエリアＡに移動してきたとき、センター通信装置１からの送信指示に応じて、データ放送用記憶領域５６に格納された出力結果を読み出し、アンテナ５０を介してＨＴＴＰ無線通信によりセンター通信装置１に送信する。
【００４４】
図６〜図１４を用いて、本発明の第１実施形態による自動通信システムの動作を説明する。
図１２は、本発明の第１実施形態による自動通信システムの動作として第１通信処理を示すフローチャートである。
【００４５】
エリア通信装置３−ｉの生成部３４は、計測エリアＢ−ｉに設けられた計測器４−ｉの出力を受け取る（ステップＳ１）。このとき、計測器４−ｉの出力が前回の計測器４−ｉの出力に対して変化している（ステップＳ２−ＹＥＳ）。この場合、エリア通信装置３−ｉの生成部３４は、そのエリア対応データベース３９を参照して、計測エリアＢ−ｉにおける出力結果を最新の出力結果Ｂ−ｉ’として生成し（ステップＳ３）、それを前回の計測器４−ｉの出力として、その記憶部３５に格納する。図７に示されるように、出力結果Ｂ−ｉ’は、計測エリアＢ−ｉのエリアＩＤ“Ｂｉ”、計測器４−ｉの計測器ＩＤ“００１”〜“００５”と、計測器４−ｉの出力と、計測器４−ｉの出力を受け取ったときの取得日時とを含んでいる。
【００４６】
ここで、図６に示されるように、複数のエリア通信装置３−１〜３−ｍのうちのエリア通信装置３−４〜３−ｍとセンター通信装置１とを接続する通信路２が正常であるものとする。このエリア通信装置３−４〜３−ｍは、それぞれ、計測エリアＢ−４〜Ｂ−ｍに設けられている。そこで、エリア通信装置３−４〜３−ｍを正常エリア通信装置３−４〜３−ｍとし、計測エリアＢ−４〜Ｂ−ｍを正常計測エリアＢ−４〜Ｂ−ｍと称する。
また、複数のエリア通信装置３−１〜３−ｍのうちのエリア通信装置３−１〜３−３とセンター通信装置１とを接続する通信路２が断絶しているものとする。このエリア通信装置３−１〜３−３は、それぞれ、計測エリアＢ−１〜Ｂ−３に設けられている。そこで、エリア通信装置３−１〜３−３を断絶エリア通信装置３−１〜３−３とし、計測エリアＢ−１〜Ｂ−３を断絶計測エリアＢ−１〜Ｂ−３と称する。
【００４７】
この場合、本発明の第１実施形態による自動通信システムの動作として、
（Ｉ）正常計測エリアＢ−４〜Ｂ−ｍにおける動作と、
（ＩＩ）断絶計測エリアＢ−１〜Ｂ−３における動作と、
に分けることができる。
【００４８】
まず、（Ｉ）正常計測エリアＢ−４〜Ｂ−ｍにおける動作について説明する。
【００４９】
上記のステップＳ１〜Ｓ３が実行されたとき、正常エリア通信装置３−４〜３−ｍの通信制御部３２は、その記憶部３５に断絶フラグが格納されているか否かを調べる（ステップＳ４）。断絶フラグは、そのエリア通信装置とセンター通信装置１とを接続する通信路２が断絶していることを表している。正常エリア通信装置３−４〜３−ｍの記憶部３５には、断絶フラグが格納されていない（ステップＳ４−ＮＯ）。このため、正常エリア通信装置３−４〜３−ｍの通信制御部３２は、その生成部３４に生成された最新の出力結果Ｂ−４’〜Ｂ−ｍ’を正常エリア出力結果Ｂ−４’〜Ｂ−ｍ’としてセンター通信装置１に通信路２を介して送信する（ステップＳ５）。このときに、正常エリア通信装置３−４〜３−ｍの通信制御部３２は、カウントを開始する。
【００５０】
センター通信装置１の通信制御部１２は、正常エリア通信装置３−４〜３−ｍからの正常エリア出力結果Ｂ−４’〜Ｂ−ｍ’を受信する（ステップＳ１１−ＹＥＳ）。このとき、センター通信装置１の通信制御部１２は、正常エリア出力結果Ｂ−４’〜Ｂ−ｍ’の受信に対する応答信号を正常エリア通信装置３−４〜３−ｍに通信路２を介して送信する（ステップＳ１２）。また、図８に示されるように、センター通信装置１の通信制御部１２は、正常エリア出力結果Ｂ−４’〜Ｂ−ｍ’を、その正常エリア集計データベース１７に格納する（ステップＳ１３）。
ここで、ステップＳ１３において、センター通信装置１の通信制御部１２は、正常エリア集計データベース１７に既に格納されている正常エリア出力結果と、正常エリア出力結果Ｂ−４’〜Ｂ−ｍ’とを比較し、これらが一致しない。ここで、既に格納されている正常エリア出力結果と、正常エリア出力結果Ｂ−４’〜Ｂ−ｍ’とを比較して、正常エリア出力結果Ｂ−４’〜Ｂ−ｍ’の取得日時が新しい。この場合、正常エリア出力結果Ｂ−４’〜Ｂ−ｍ’を、その正常エリア集計データベース１７に格納する。
【００５１】
断絶エリア通信装置３−４〜３−ｍの通信制御部３２は、センター通信装置１からの応答信号を受信せず（ステップＳ６−ＮＯ）、カウントしたときのカウント値が所定時間を経過していない場合（ステップＳ７−ＮＯ）、上記のステップＳ５を実行する。正常エリア通信装置３−４〜３−ｍの通信制御部３２は、センター通信装置１からの応答信号を受信する（ステップＳ６−ＹＥＳ）。このとき、正常エリア通信装置３−４〜３−ｍの通信制御部３２は、カウントをやめ、センター通信装置１はステップＳ１を実行する。
【００５２】
このように、本発明の第１実施形態による自動通信システムによれば、センター通信装置１は、正常エリア出力結果Ｂ−４’〜Ｂ−ｍ’を正常エリア通信装置３−４〜３−ｍから受信し、その正常エリア集計データベース１７に格納する。その結果、システムの作業員は、正常エリア出力結果Ｂ−４’〜Ｂ−ｍ’を閲覧（参照）することにより、計測エリアＢ−４〜Ｂ−ｍの各々で災害や事件が発生しているか否かを判断することができる。
【００５３】
次に、（ＩＩ）断絶計測エリアＢ−１〜Ｂ−３における動作について説明する。
【００５４】
上記のステップＳ１〜Ｓ３が実行されたとき、断絶エリア通信装置３−１〜３−３の通信制御部３２は、その記憶部３５に断絶フラグが格納されているか否かを調べる（ステップＳ４）。断絶エリア通信装置３−１〜３−３とセンター通信装置１とを接続する通信路２が、最初は正常であるものとする。この場合、断絶エリア通信装置３−１〜３−３の記憶部３５には、断絶フラグが格納されていない（ステップＳ４−ＮＯ）。このため、断絶エリア通信装置３−１〜３−３の通信制御部３２は、断絶計測エリアＢ−１〜Ｂ−３における出力結果Ｂ−１’〜Ｂ−３’を正常エリア出力結果Ｂ−１’〜Ｂ−３’としてセンター通信装置１に通信路２を介して送信する（ステップＳ５）。このときに、断絶エリア通信装置３−１〜３−３の通信制御部３２は、カウントを開始する。
ところが、センター通信装置１の通信制御部１２は、断絶エリア通信装置３−１〜３−３からの正常エリア出力結果Ｂ−１’〜Ｂ−３’を受信できない（ステップＳ１１−ＮＯ）。
そのため、断絶エリア通信装置３−１〜３−３の通信制御部３２は、センター通信装置１からの応答信号を受信できない（ステップＳ６−ＮＯ）。断絶エリア通信装置３−１〜３−３の通信制御部３２は、カウントしたときのカウント値に対応する時間が所定時間を経過した場合（ステップＳ７−ＹＥＳ）、断絶エリア通信装置３−１〜３−３とセンター通信装置１とを接続する通信路２が断絶しているものと認識し、カウントをやめる。この場合、断絶エリア通信装置３−１〜３−３の通信制御部３２は、その記憶部３５に断絶フラグを格納する（ステップＳ８）。
【００５５】
次に、断絶エリア通信装置３−１〜３−３の放送制御部３３は、その放送ストリーム蓄積部３６を参照して、放送すべき特定のデータ放送を読み出して、断絶計測エリアＢ−１〜Ｂ−３における出力結果Ｂ−１’〜Ｂ−３’に重畳（多重化）し、出力結果Ｂ−１’〜Ｂ−３’の格納を指示するデータ放送を生成する（ステップＳ９）。断絶エリア通信装置３−１〜３−３の放送制御部３３は、出力結果Ｂ−１’〜Ｂ−３’の格納を指示するデータ放送を、その放送アンテナ３０を介して放送電波６により送信する（ステップＳ１０）。その後、断絶エリア通信装置３−１〜３−３はステップＳ１〜Ｓ３を実行し、その記憶部３５に断絶フラグが格納されている限り（ステップＳ４−ＹＥＳ）、上記のステップＳ９、Ｓ１０を実行する。
【００５６】
図１３は、本発明の第１実施形態による自動通信システムの動作として第１断絶時通信処理を示すフローチャートである。
【００５７】
センター通信装置１の放送制御部１３は、その放送ストリーム蓄積部１６に格納された特定のデータ放送を読み出して、出力結果の送信を移動端末５−ｊに指示する送信指示に重畳（多重化）し、送信指示を表すデータ放送を生成する。センター通信装置１の放送制御部１３は、定期的に、送信指示を表すデータ放送を、その放送アンテナ１０を介して放送電波６により送信する（ステップＳ４１）。
【００５８】
１台の移動端末５−ｊが断絶計測エリアＢ−１〜Ｂ−３の全てに移動するとは限らない。そこで、（ＩＩ）断絶計測エリアＢ−１〜Ｂ−３における動作として、例えば、
（ＩＩ−１）移動端末５−１が断絶計測エリアＢ−１〜Ｂ−３のうちの第１断絶エリアに移動する場合と、
（ＩＩ−２）移動端末５−２が断絶計測エリアＢ−１〜Ｂ−３のうちの第１断絶エリア以外の第２断絶エリアに移動する場合と、
が挙げられる。
【００５９】
（ＩＩ−１）移動端末５−１が断絶計測エリアＢ−１〜Ｂ−３のうちの第１断絶エリアに移動する場合について説明する。
【００６０】
図６に示されるように、第１断絶エリアは、Ｍ個（Ｍは自然数）の断絶エリアを含んでいるものとする。例えば、Ｍを２としたとき、第１断絶エリアは、断絶計測エリアＢ−１、Ｂ−２を含み、移動端末５−１の利用者は、断絶計測エリアＢ−１、Ｂ−２を断絶計測エリアＢ−１から断絶計測エリアＢ−２にこの順に移動し、その後、情報収集センターエリアＡに移動しているものとする。この場合、移動端末５−１の利用者が１番目に移動したときの断絶エリアは、断絶計測エリアＢ−１であり、移動端末５−１の利用者がＭ番目（Ｍ＝２）に移動したときの断絶エリアは、断絶計測エリアＢ−２である。
断絶エリア通信装置３−１〜３−３のうちの第１断絶エリア通信装置は、第１断絶エリアに含まれる断絶計測エリアＢ−１、Ｂ−２にそれぞれ設けられた断絶エリア通信装置３−１、３−２を含んでいる。この場合、上記のステップＳ１０により、断絶エリア通信装置３−１、３−２の放送制御部３３は、断絶計測エリアＢ−１、Ｂ−２における出力結果Ｂ−１’、Ｂ−２’に特定のデータ放送を重畳し、出力結果Ｂ−１’、Ｂ−２’の格納を指示するデータ放送を、その放送アンテナ３０を介して放送電波６により送信している（ステップＳ２１−ＹＥＳ、Ｓ２２）。
【００６１】
移動端末５−１が断絶計測エリアＢ−１に移動してきたとき、強制的に受信するデジタル放送の受信（ステップＳ３１−ＹＥＳ）により受信処理を開始する（ステップＳ３２）。断絶計測エリアＢ−１からのデジタル放送に重畳されたデータ放送を処理する（ステップＳ３３）。以降の処理（ステップＳ３４）については、断絶エリアもしくはセンターエリアのいずれからデータ放送を受信したかにより、処理が異なる（ステップＳ３４１）。この処理の振り分けは、受信したデータ放送の記述により自動的に決定するため、受信機は断絶エリアかセンターエリアかを具体的に判定するアルゴリズムを特別には実装しなくて良い。断絶計測エリアＢ−１にて受信したデータ放送では、出力結果ＭＢ−１’の格納が指示されているため、移動端末５−１の放送制御部５３は、この出力結果ＭＢ−１’をデータ放送用記憶領域５６に格納する（ステップＳ３４２）。
同様に移動端末５−１が断絶計測エリアＢ−２に移動してきたとき、強制的に受信するデジタル放送の受信（ステップＳ３１−ＹＥＳ）により受信処理を開始する（ステップＳ３２）。断絶計測エリアＢ−２からのデジタル放送に重畳されたデータ放送を処理する（ステップＳ３３）。断絶計測エリアＢ−２から受信したデータ放送では、出力結果ＭＢ−２’の格納が指示されているため、移動端末５−１の放送制御部５３は、この出力結果ＭＢ−２’をデータ放送用記憶領域５６に格納する（ステップＳ３４２）。
このように、移動端末５−１の放送制御部５３は、移動端末５−１がＭ個（Ｍ＝２）の断絶計測エリアＢ−１、Ｂ−２を１番目からＭ番目までこの順に移動してきたとき、断絶計測エリアＢ−１、Ｂ−２における出力結果Ｂ−１’、Ｂ−２’を１番目からＭ番目までこの順に受信し、断絶エリア出力結果ＭＢ−１’、ＭＢ−２’を表すデータを、そのデータ放送用記憶領域５６に１番目からＭ番目までこの順に格納する。
【００６２】
移動端末５−１がセンターエリアＡに移動してきたとき、強制的に受信するデジタル放送の受信（ステップＳ３１−ＹＥＳ）により受信処理を開始する（ステップＳ３２）。センターエリアＡからのデジタル放送に重畳されたデータ放送を処理する（ステップＳ３３）。センターエリアＡにて受信したデータ放送では、格納済みの出力結果の送信が指示されているため、移動端末５−１の放送処理部５３は、出力結果ＭＢ−１’、ＭＢ−２’をデータ放送用記憶領域５６より読み出し、ＨＴＴＰ無線通信により移動端末５−１のアンテナ５０を介して送信する（ステップＳ３４３）。このとき、移動端末５−１の放送処理部５３は、データ放送用記憶領域５６に格納された出力結果ＭＢ−１’、ＭＢ−２’を消去する。
【００６３】
センター通信装置１の放送制御部１３は、移動端末５−１からの第１断絶エリア出力結果ＭＢ−１’、ＭＢ−２’を表すデータを受信する（ステップＳ４２−ＹＥＳ）。このとき、図１１に示されるように、センター通信装置１の放送制御部１３は、第１断絶エリア出力結果ＭＢ−１’、ＭＢ−２’を、その断絶エリア集計データベース１８に格納する（ステップＳ４３）。
ここで、ステップＳ４３において、センター通信装置１の放送制御部１３は、その断絶エリア集計データベース１８に既に格納されている断絶エリア出力結果と、第１断絶エリア出力結果ＭＢ−１’、ＭＢ−２’とを比較し、これらが一致しない。ここで、既に格納されている断絶エリア出力結果と、第１断絶エリア出力結果ＭＢ−１’、ＭＢ−２’とを比較して、第１断絶エリア出力結果ＭＢ−１’、ＭＢ−２’の取得日時が新しい。この場合、第１断絶エリア出力結果ＭＢ−１’、ＭＢ−２’を、その断絶エリア集計データベース１８に格納する。
【００６４】
このように、本発明の第１実施形態による自動通信システムによれば、移動端末５−１の利用者が、断絶計測エリアＢ−１〜Ｂ−３のうちの第１断絶エリアであるＭ個の断絶計測エリアＢ−１、Ｂ−２を１番目からＭ番目までこの順に移動し、その後、情報収集センターエリアＡに移動する。この場合、特定のデータ放送として放送電波６を利用することにより、センター通信装置１は、第１断絶エリア出力結果ＭＢ−１’、ＭＢ−２’を移動端末５−１から受信し、その断絶エリア集計データベース１８に格納することができる。その結果、システムの作業員は、第１断絶エリア出力結果ＭＢ−１’、ＭＢ−２’を閲覧（参照）することにより、第１断絶計測エリアＢ−１、Ｂ−２で災害や事件が発生しているか否かを判断することができる。
【００６５】
（ＩＩ−２）移動端末５−２が断絶計測エリアＢ−１〜Ｂ−３のうちの第１断絶エリア以外の第２断絶エリアに移動する場合について説明する。
【００６６】
図６に示されるように、第２断絶エリアは、断絶計測エリアＢ−１〜Ｂ−３のうちの第１断絶計測エリアＢ−１、Ｂ−２以外の断絶計測エリアＢ−３である。移動端末５−２の利用者は、断絶計測エリアＢ−３に移動し、その後、情報収集センターエリアＡに移動しているものとする。
第２断絶計測エリアＢ−３には、断絶エリア通信装置３−１〜３−３のうちの第１断絶エリア通信装置３−１、３−２以外の第２断絶エリア通信装置として、断絶エリア通信装置３−３が設けられている。この場合、上記のステップＳ１０により、断絶エリア通信装置３−３の放送制御部３３は、断絶計測エリアＢ−３における出力結果Ｂ−３’に特定のデータ放送を重畳し、出力結果Ｂ−３’の格納を指示するデータ放送を、その放送アンテナ３０を介して放送電波６により送信している（ステップＳ２１−ＹＥＳ、Ｓ２２）。
【００６７】
移動端末５−２が断絶計測エリアＢ−３に移動してきたとき、強制的に受信するデジタル放送の受信（ステップＳ３１−ＹＥＳ）により受信処理を開始する（ステップＳ３２）。断絶計測エリアＢ−３からのデジタル放送に重畳されたデータ放送を処理する（ステップＳ３３）。以降の処理（ステップＳ３４）については、断絶エリアもしくはセンターエリアのいずれからデータ放送を受信したかにより、処理が異なる（ステップＳ３４１）。この処理の振り分けは、受信したデータ放送の記述により自動的に決定するため、受信機は断絶エリアかセンターエリアかを具体的に判定するアルゴリズムを特別には実装しなくて良い。断絶計測エリアＢ−３にて受信したデータ放送では、出力結果ＭＢ−３’の格納が指示されているため、移動端末５−２の放送制御部５３は、この出力結果ＭＢ−３’をデータ放送用記憶領域５６に格納する（ステップＳ３４２）。
【００６８】
移動端末５−２がセンターエリアＡに移動してきたとき、強制的に受信するデジタル放送の受信（ステップＳ３１−ＹＥＳ）により受信処理を開始する（ステップＳ３２）。センターエリアＡからのデジタル放送に重畳されたデータ放送を処理する（ステップＳ３３）。センターエリアＡにて受信したデータ放送では、格納済みの出力結果の送信が指示されているため、移動端末５−２の放送処理部５３は、出力結果ＭＢ−３’をデータ放送用記憶領域５６より読み出し、ＨＴＴＰ無線通信により移動端末５−２のアンテナ５０を介して送信する（ステップＳ３４３）。このとき、移動端末５−２の放送処理部５３は、データ放送用記憶領域５６に格納された出力結果ＭＢ−３’を消去する。
【００６９】
センター通信装置１の放送制御部１３は、移動端末５−２からの第２断絶エリア出力結果ＭＢ−３’を表すデータを受信する（ステップＳ３２−ＹＥＳ）。このとき、図１１に示されるように、センター通信装置１の放送制御部１３は、第２断絶エリア出力結果ＭＢ−３’を、その断絶エリア集計データベース１８に格納する（ステップＳ３３）。
ここで、ステップＳ３３において、センター通信装置１の放送制御部１３は、その断絶エリア集計データベース１８に既に格納されている断絶エリア出力結果と、第２断絶エリア出力結果ＭＢ−３’とを比較し、これらが一致しない。ここで、既に格納されている断絶エリア出力結果と、第２断絶エリア出力結果ＭＢ−３’とを比較して、第２断絶エリア出力結果ＭＢ−３’の取得日時が新しい。この場合、第２断絶エリア出力結果ＭＢ−３’を、その断絶エリア集計データベース１８に格納する。
【００７０】
このように、本発明の第１実施形態による自動通信システムによれば、移動端末５−１の利用者が、断絶計測エリアＢ−１〜Ｂ−３のうちの第１断絶計測エリアＢ−１、Ｂ−２に移動し、その後、情報収集センターエリアＡに移動する。この場合、特定のデータ放送として放送電波６を利用することにより、センター通信装置１は、第１断絶エリア出力結果ＭＢ−１’、ＭＢ−２’を移動端末５−１から受信し、その断絶エリア集計データベース１８に格納することができる。また、移動端末５−２の利用者が、断絶計測エリアＢ−１〜Ｂ−３のうちの第２断絶計測エリアＢ−３に移動し、その後、情報収集センターエリアＡに移動する。この場合、特定のデータ放送として放送電波６を利用することにより、センター通信装置１は、第２断絶エリア出力結果ＭＢ−３’を移動端末５−２から受信し、その断絶エリア集計データベース１８に格納することができる。その結果、システムの作業員は、第１断絶エリア出力結果ＭＢ−１’、ＭＢ−２’、第２断絶エリア出力結果ＭＢ−３’を閲覧（参照）することにより、第１断絶計測エリアＢ−１、Ｂ−２、第２断絶計測エリアＢ−３で災害や事件が発生しているか否かを判断することができる。
【００７１】
図１４は、本発明の第１実施形態による自動通信システムの動作として出力処理を示すフローチャートである。
【００７２】
本システムの作業員は、センター通信装置１の記憶部１５に格納された出力結果を参照するための通知指示を行なうことができる（ステップＳ４４−ＹＥＳ）。このとき、センター通信装置１の通知部１４は、その記憶部１５（正常エリア集計データベース１７、断絶エリア集計データベース１８）に格納された出力結果を出力部２０に出力する（ステップＳ４５）。あるいは、作業員は、センター通信装置１が出力結果を出力部２０に出力する時刻を通知用設定時刻として、その通知部１４に設定しておき、通知用設定時刻が経過したときに（ステップＳ４４−ＹＥＳ）、その通知部１４は、ステップＳ４５を実行する。
【００７３】
このように、出力結果として正常エリア出力結果Ｂ−４’〜Ｂ−ｍ’、断絶エリア出力結果ＭＢ−１’〜ＭＢ−３’が出力部２０に出力されたとき、システムの作業員は、それを閲覧（参照）し、複数の計測エリアＢ−１〜Ｂ−ｍの各々で災害や事件が発生しているか否かを判断する。
【００７４】
断絶エリア通信装置３−１〜３−３とセンター通信装置１とを接続する通信路２は、本システムの作業員により、正常に復旧されることがある。この場合、作業員は、断絶エリア通信装置３−１〜３−３の制御部３１を制御して、断絶エリア通信装置３−１〜３−３の記憶部３５に格納された断絶フラグを消去する。
【００７５】
（第２実施形態）
本発明の第１実施形態による自動通信システムでは、移動端末５−１、移動端末５−２の利用者が情報収集センターエリアＡに移動した場合、センター通信装置１は、断絶エリア出力結果ＭＢ−１’〜ＭＢ−３’を移動端末５−１、移動端末５−２から受信し、その断絶エリア集計データベース１８に格納する。この場合、情報収集センターエリアＡを広範囲に設定しなければならない。
本発明の第２実施形態による自動通信システムでは、複数の情報収集センターエリアＡ−１〜Ａ−ｘにそれぞれ複数のセンター通信装置１−１〜１−ｘを設けておくことにより、断絶エリア出力結果ＭＢ−１’〜ＭＢ−３’を収集するための収集効率を改善する。第２実施形態では、第１実施形態と異なる点のみ説明する。
【００７６】
図１５は、本発明の第２実施形態による自動通信システムの構成を示している。第２実施形態による自動通信システムは、更に、複数のセンター通信装置１−１〜１−ｘ（ｘは２以上の整数）を具備している。複数のセンター通信装置１−１〜１−ｘの各々は、第１実施形態におけるセンター通信装置１と同じ構成である。
複数のセンター通信装置１−１〜１−ｘは、それぞれ、複数の情報収集センターエリアＡ−１〜Ａ−ｘに設けられている。複数のセンター通信装置１−１〜１−ｘの通信制御部１２は、センター用通信路として上記の通信路２に接続されている。
【００７７】
図１６〜図１９を用いて、本発明の第２実施形態による自動通信システムの動作を説明する。
図１８は、本発明の第２実施形態による自動通信システムの動作として第２断絶時通信処理を示すフローチャートである。図１９は、本発明の第２実施形態による自動通信システムの動作として連携格納処理を示すフローチャートである。後述の第２断絶時通信処理では、第１実施形態における第１断絶時通信処理に対して、後述の連携格納処理（ステップＳ５０）を更に含んでいる。
【００７８】
センター通信装置１−１〜１−ｘの放送制御部１３は、情報収集センターエリアＡ−１〜Ａ−ｘに移動してきた移動端末５−ｊから出力結果を収集するために、定期的に、送信指示を表すデータ放送を、その放送アンテナ１０を介して放送電波６により送信する（ステップＳ４１）。
【００７９】
ここで、（ＩＩ−１）移動端末５−１が断絶計測エリアＢ−１〜Ｂ−３のうちの第１断絶エリアに移動する場合について説明する。
図１６に示されるように、第１断絶エリアは、断絶計測エリアＢ−１、Ｂ−２を含み、移動端末５−１の利用者は、断絶計測エリアＢ−１、Ｂ−２を断絶計測エリアＢ−１から断絶計測エリアＢ−２にこの順に移動し、その後、第１実施形態における情報収集センターエリアＡに代えて、例えば情報収集センターエリアＡ−１に移動しているものとする。
【００８０】
移動端末５−１は、断絶エリア出力結果ＭＢ−１’、ＭＢ−２’を表すデータを、そのデータ放送用記憶領域５６に格納している（ステップＳ３１〜Ｓ３４）。
次に、移動端末５−１が断絶計測エリアＢ−２からセンターエリアＡ−１に移動してきたとき、強制的に受信するデジタル放送の受信（ステップＳ３１−ＹＥＳ）により受信処理を開始する（ステップＳ３２）。センターエリアＡ−１からのデジタル放送に重畳されたデータ放送を処理する（ステップＳ３３）。センターエリアＡ−１にて受信したデータ放送では、格納済みの出力結果の送信が指示されているため、移動端末５−１の放送処理部５３は、出力結果ＭＢ−１’、ＭＢ−２’をデータ放送用記憶領域５６より読み出し、ＨＴＴＰ無線通信により移動端末５−１のアンテナ５０を介して送信する（ステップＳ３４３）。このとき、移動端末５−１の放送処理部５３は、データ放送用記憶領域５６に格納された出力結果ＭＢ−１’、ＭＢ−２’を消去する。
【００８１】
センター通信装置１−１の放送制御部１３は、移動端末５−１からの第１断絶エリア出力結果ＭＢ−１’、ＭＢ−２’を表すデータを受信する（ステップＳ４２−ＹＥＳ）。このとき、図１７に示されるように、センター通信装置１−１の放送制御部１３は、第１断絶エリア出力結果ＭＢ−１’、ＭＢ−２’を、その断絶エリア集計データベース１８に格納する（ステップＳ４３）。
センター通信装置１−１の通信制御部１２は、第１断絶エリア出力結果ＭＢ−１’、ＭＢ−２’に対する連携格納処理を実行する（ステップＳ５０）。この連携格納処理の実行として、センター通信装置１−１の通信制御部１２は、第１断絶エリア出力結果ＭＢ−１’、ＭＢ−２’を、センター通信装置１−１〜１−ｘのうちの自己のセンター通信装置１−１以外のセンター通信装置１−２〜１−ｘに通信路２を介して送信する（ステップＳ５１）。このとき、センター通信装置１−２〜１−ｘの通信制御部１２は、センター通信装置１−１からの第１断絶エリア出力結果ＭＢ−１’、ＭＢ−２’を受信し（ステップＳ５２）、その断絶エリア集計データベース１８に格納する（ステップＳ５３）。
ここで、ステップＳ５３において、上記のステップＳ３３と同様に、センター通信装置１−２〜１−ｘの通信制御部１２は、その断絶エリア集計データベース１８に既に格納されている断絶エリア出力結果と、第１断絶エリア出力結果ＭＢ−１’、ＭＢ−２’とが一致しない。ここで、既に格納されている断絶エリア出力結果と、第１断絶エリア出力結果ＭＢ−１’、ＭＢ−２’とを比較して、第１断絶エリア出力結果ＭＢ−１’、ＭＢ−２’の取得日時が新しい。この場合、第１断絶エリア出力結果ＭＢ−１’、ＭＢ−２’を、その断絶エリア集計データベース１８に格納する。
【００８２】
（ＩＩ−２）移動端末５−２が断絶計測エリアＢ−１〜Ｂ−３のうちの第１断絶エリア以外の第２断絶エリアに移動する場合について説明する。
図１６に示されるように、第２断絶エリアは、断絶計測エリアＢ−３であり、移動端末５−２の利用者は、断絶計測エリアＢ−３に移動し、その後、第１実施形態における情報収集センターエリアＡに代えて、例えば情報収集センターエリアＡ−２に移動しているものとする。
【００８３】
移動端末５−２が断絶計測エリアＢ−３に移動してきたとき、移動端末５−２は、断絶エリア通信装置３−３からの断絶エリア出力結果ＭＢ−３’を表すデータを、そのデータ放送用記憶領域５６に格納している（ステップＳ３１〜Ｓ３４）。
次に、移動端末５−２が断絶計測エリアＢ−３からセンターエリアＡ−２に移動してきたとき、強制的に受信するデジタル放送の受信（ステップＳ３１−ＹＥＳ）により受信処理を開始する（ステップＳ３２）。センターエリアＡ−２からのデジタル放送に重畳されたデータ放送を処理する（ステップＳ３３）。センターエリアＡ−２にて受信したデータ放送では、格納済みの出力結果の送信が指示されているため、移動端末５−２の放送処理部５３は、出力結果ＭＢ−３’をデータ放送用記憶領域５６より読み出し、ＨＴＴＰ無線通信により移動端末５−２のアンテナ５０を介して送信する（ステップＳ３４３）。このとき、移動端末５−１の放送処理部５３は、データ放送用記憶領域５６に格納された出力結果ＭＢ−３’を消去する。
【００８４】
センター通信装置１−２の放送制御部１３は、移動端末５−２からの第２断絶エリア出力結果ＭＢ−３’を表すデータを受信する（ステップＳ４２−ＹＥＳ）。このとき、図１７に示されるように、センター通信装置１−２の放送制御部１３は、第２断絶エリア出力結果ＭＢ−３’を、その断絶エリア集計データベース１８に格納する（ステップＳ４３）。
センター通信装置１−２の通信制御部１２は、第２断絶エリア出力結果ＭＢ−３’に対する連携格納処理を実行する（ステップＳ５０）。この連携格納処理の実行として、センター通信装置１−２の通信制御部１２は、第２断絶エリア出力結果ＭＢ−３’を、センター通信装置１−１〜１−ｘのうちの自己のセンター通信装置１−２以外のセンター通信装置１−１、１−３〜１−ｘに通信路２を介して送信する（ステップＳ５１）。このとき、センター通信装置１−１、１−３〜１−ｘの通信制御部１２は、センター通信装置１−２からの第２断絶エリア出力結果ＭＢ−３’を受信し（ステップＳ５２）、その断絶エリア集計データベース１８に格納する（ステップＳ５３）。
ここで、ステップＳ５３において、上記のステップＳ３３と同様に、センター通信装置１−１、１−３〜１−ｘの通信制御部１２は、その断絶エリア集計データベース１８に既に格納されている断絶エリア出力結果と、第２断絶エリア出力結果ＭＢ−３’とが一致しない。ここで、既に格納されている断絶エリア出力結果と、第２断絶エリア出力結果ＭＢ−３’とを比較して、第２断絶エリア出力結果ＭＢ−３’の取得日時が新しい。この場合、第２断絶エリア出力結果ＭＢ−３’を、その断絶エリア集計データベース１８に格納する。
【００８５】
本発明の第２実施形態による自動通信システムでは、複数の情報収集センターエリアＡ−１〜Ａ−ｘにそれぞれ複数のセンター通信装置１−１〜１−ｘを設けておく。移動端末５−１の利用者が複数の情報収集センターエリアＡ−１〜Ａ−ｘのうちの１つの情報収集センターエリア（情報収集センターエリアＡ−１）に移動する。この場合、特定のデータ放送として放送電波６を利用することにより、センター通信装置１は、第１断絶エリア出力結果ＭＢ−１’、ＭＢ−２’を移動端末５−１から受信し、その断絶エリア集計データベース１８に格納することができる。また、移動端末５−２の利用者が複数の情報収集センターエリアＡ−１〜Ａ−ｘのうちの１つの情報収集センターエリア（情報収集センターエリアＡ−２）に移動する。この場合、特定のデータ放送として放送電波６を利用することにより、センター通信装置１−２は、第２断絶エリア出力結果ＭＢ−３’を移動端末５−２から受信し、その断絶エリア集計データベース１８に格納することができる。その後、複数のセンター通信装置１−１〜１−ｘは、連携格納処理を実行することにより、第１断絶エリア出力結果ＭＢ−１’、ＭＢ−２’、第２断絶エリア出力結果ＭＢ−３’を、その断絶エリア集計データベース１８に格納する。この場合、複数の情報収集センターエリアＡ−１〜Ａ−ｘを広範囲に設定する必要がなく、第１断絶エリア出力結果ＭＢ−１’、ＭＢ−２’、第２断絶エリア出力結果ＭＢ−３’を収集するための収集効率が改善される。
【００８６】
（第３実施形態）
本発明の第２実施形態による自動通信システムでは、複数の情報収集センターエリアＡ−１〜Ａ−ｘにそれぞれ複数のセンター通信装置１−１〜１−ｘが設けられているが、例えば、センター通信装置１−２に接続された通信路２が断絶した場合、センター通信装置１−２は、センター通信装置１−２以外のセンター通信装置１−１、１−３〜１−ｘ及び複数のエリア通信装置３−１〜３−ｍと通信できない。
本発明の第３実施形態による自動通信システムでは、上記の問題を改善する。第３実施形態では、第１実施形態、第２実施形態と異なる点のみ説明する。
【００８７】
図２０は、複数のセンター通信装置１−１〜１−ｘの構成を示している。複数のセンター通信装置１−１〜１−ｘの記憶部１５は、更に、センター対応データベース１９を具備している。
【００８８】
図２１は、センター対応データベース１９を示している。センター対応データベース２１には、それぞれ、複数のセンター通信装置１−１〜１−ｘの名称を表すセンター名と、複数のセンター通信装置１−１〜１−ｘを識別するためのセンターＩＤ“Ａ１”〜“Ａｘ”とが、本システムの作業員により格納されている。
【００８９】
図２２〜図２５、図１８、図１９を用いて、本発明の第３実施形態による自動通信システムの動作を説明する。
図２５は、本発明の第３実施形態による自動通信システムの動作として第２通信処理を示すフローチャートである。後述の第２通信処理では、第１実施形態における第１通信処理に対して、後述のステップＳ６１〜Ｓ６３を更に含んでいる。
【００９０】
センター通信装置１−１〜１−ｘの通信制御部１２は、正常エリア通信装置３−４〜３−ｍからの正常エリア出力結果Ｂ−４’〜Ｂ−ｍ’を受信する（ステップＳ１１−ＹＥＳ）。このとき、センター通信装置１−１〜１−ｘの通信制御部１２は、カウントを開始する。また、センター通信装置１−１〜１−ｘの通信制御部１２は、正常エリア出力結果Ｂ−４’〜Ｂ−ｍ’の受信に対する応答信号を正常エリア通信装置３−４〜３−ｍに通信路２を介して送信する（ステップＳ１２）。また、図８に示されるように、センター通信装置１−１〜１−ｘの通信制御部１２は、正常エリア出力結果Ｂ−４’〜Ｂ−ｍ’を、その正常エリア集計データベース１７に格納する（ステップＳ１３）。
【００９１】
ここで、図２２に示されるように、第２実施形態による自動通信システムに対して、センター通信装置１−２と、複数のセンター通信装置１−１〜１−ｘのうちのセンター通信装置１−２以外のセンター通信装置１−１、１−３〜１−ｘとを接続するセンター用通信路（通信路２）が断絶しているものとする。
【００９２】
この場合、センター通信装置１−２の通信制御部１２は、正常エリア通信装置３−４〜３−ｍからの正常エリア出力結果Ｂ−４’〜Ｂ−ｍ’を受信できない（ステップＳ１１−ＮＯ）。センター通信装置１−２の通信制御部１２は、カウントしたときのカウント値に対応する時間が断絶用設定時間を経過した場合（ステップＳ６１−ＹＥＳ）、センター通信装置１−２と断絶エリア通信装置３−１〜３−ｍとを接続する通信路２が断絶し、同時に、センター通信装置１−２とセンター通信装置１−１、１−３〜１−ｘとを接続する通信路２が断絶しているものと認識し、カウントをやめる。
【００９３】
次に、センター通信装置１−２の放送制御部１３は、その断絶エリア集計データベース１８に格納された第２断絶エリア出力結果ＭＢ−３’と、センター対応データベース２１に格納されたセンターＩＤ“Ａ２”とを含む断絶エリア出力結果ＭＢ−３’、“Ａ２”を生成する（ステップＳ６２）。センター通信装置１−２の放送制御部１３は、その放送ストリーム蓄積部１６に格納された特定のデータ放送を読み出して、図２３に示されるように、断絶エリア出力結果ＭＢ−３’、“Ａ２”として第２断絶エリア出力結果ＭＢ−３’’に重畳（多重化）し、第２断絶エリア出力結果ＭＢ−３’’の格納を指示するデータ放送を生成する。センター通信装置１−２の放送制御部１３は、定期的に、第２断絶エリア出力結果ＭＢ−３’’の格納を指示するデータ放送を、その放送アンテナ１０を介して放送電波６により送信する（ステップＳ６３）。その後、センター通信装置１−２はステップＳ１１を実行し、センター通信装置１−２と断絶エリア通信装置３−１〜３−ｍとを接続する通信路２が復旧しない限り（ステップＳ１１−ＮＯ、Ｓ６１−ＹＥＳ）、上記のステップＳ６２、Ｓ６３を実行する。
【００９４】
ここで、（ＩＩ）断絶計測エリアＢ−１〜Ｂ−３における動作として、更に、
（ＩＩ−３）移動端末５−３が情報収集センターエリアＡ−２から情報収集センターエリアＡ−１に移動する場合、
が挙げられる。
【００９５】
（ＩＩ−３）移動端末５−３が情報収集センターエリアＡ−２から情報収集センターエリアＡ−１に移動する場合について説明する。
【００９６】
移動端末５−３が情報収集センターエリアＡ−２に移動してきたとき、移動端末５−３は、センター通信装置１−２からの第２断絶エリア出力結果ＭＢ−３’’を表すデータを、そのデータ放送用記憶領域５６に格納している（ステップＳ３１〜Ｓ３４）。
【００９７】
次に、移動端末５−３がセンターエリアＡ−２からセンターエリアＡ−１に移動してきたとき、強制的に受信するデジタル放送の受信（ステップＳ３１−ＹＥＳ）により受信処理を開始する（ステップＳ３２）。センターエリアＡ−１からのデジタル放送に重畳されたデータ放送を処理する（ステップＳ３３）。センターエリアＡ−１にて受信したデータ放送では、格納済みの出力結果の送信が指示されているため、移動端末５−３の放送処理部５３は出力結果ＭＢ−３’’をデータ放送用記憶領域５６より読み出し、ＨＴＴＰ無線通信により移動端末５−３のアンテナ５０を介して送信する（ステップＳ３４３）。このとき、移動端末５−３の放送処理部５３は、データ放送用記憶領域５６に格納された出力結果ＭＢ−３’’を消去する。
【００９８】
センター通信装置１−１の放送制御部１３は、移動端末５−３からの第２断絶エリア出力結果ＭＢ−３’’を表すデータを受信する（ステップＳ４２−ＹＥＳ）。このとき、図２４に示されるように、センター通信装置１−１の放送制御部１３は、第２断絶エリア出力結果ＭＢ−３’’を、その断絶エリア集計データベース１８に格納する（ステップＳ４３）。
センター通信装置１−１の通信制御部１２は、第２断絶エリア出力結果ＭＢ−３’’に対する連携格納処理を実行する（ステップＳ５０）。この連携格納処理の実行として、センター通信装置１−１の通信制御部１２は、第２断絶エリア出力結果ＭＢ−３’’を、センター通信装置１−１〜１−ｘのうちの自己のセンター通信装置１−１以外のセンター通信装置１−２〜１−ｘに通信路２を介して送信する（ステップＳ５１）。このとき、センター通信装置１−２〜１−ｘのうちのセンター通信装置１−３〜１−ｘの通信制御部１２は、センター通信装置１−１からの第２断絶エリア出力結果ＭＢ−３’’を受信し（ステップＳ５２）、その断絶エリア集計データベース１８に格納する（ステップＳ５３）。
【００９９】
本発明の第３実施形態による自動通信システムでは、移動端末５−３の利用者が情報収集センターエリアＡ−２から情報収集センターエリアＡ−１に移動する。この場合、特定のデータ放送として放送電波６を利用することにより、センター通信装置１−１は、第２断絶エリア出力結果ＭＢ−３’’を移動端末５−３から受信し、その断絶エリア集計データベース１８に格納する。その後、複数のセンター通信装置１−１、１−３〜１−ｘは、連携格納処理を実行することにより、第２断絶エリア出力結果ＭＢ−３’’を、その断絶エリア集計データベース１８に格納する。その結果、収集効率が改善される上に、システムの作業員は、第１断絶エリア出力結果ＭＢ−１’、ＭＢ−２’、第２断絶エリア出力結果ＭＢ−３’を閲覧（参照）することにより、第１断絶計測エリアＢ−１、Ｂ−２、第２断絶計測エリアＢ−３で災害や事件が発生しているか否かを判断することができる。また、システムの作業員は、第２断絶エリア出力結果ＭＢ−３’’を閲覧することにより、情報収集センターエリアＡ−２で何らかの通信断絶が発生していることを把握することができる。
【０１００】
（第４実施形態）
本発明の第４実施形態による自動通信システムでは、断絶計測エリアＢ−１〜Ｂ−３における出力結果Ｂ−１’〜Ｂ−３’を移動端末５−ｊが受信したときの順番もセンターに格納する。これにより、本システムの作業員が移動端末５−ｊの利用者の移動経路を推定する。
第４実施形態では、第１実施形態〜第３実施形態と異なる点のみ説明する。
【０１０１】
前述の断絶エリア出力結果ＭＢ−１’〜ＭＢ−３’は、断絶計測エリアＢ−１〜Ｂ−３における出力結果Ｂ−１’〜Ｂ−３’と、移動端末５−ｊを識別する移動端末識別情報と、断絶計測エリアＢ−１〜Ｂ−３における出力結果Ｂ−１’〜Ｂ−３’を移動端末５−ｊが受信したときの移動端末受信日時とを含んでいる。移動端末識別情報としては、電話番号、アドレス（電子メールアドレス、ＩＰアドレス）が例示される。
【０１０２】
例えば、前述のステップＳ２２、Ｓ２３において、移動端末５−１の放送制御部５３は、断絶エリア通信装置３−１からの断絶計測エリアＢ−１における出力結果Ｂ−１’、Ｂ−２’を表すデータをこの順に受信する。このとき、図２６に示されるように、移動端末５−１の放送制御部５３は、出力結果Ｂ−１’、Ｂ−２’を表すデータと、移動端末５−１を識別する移動端末識別情報と、出力結果Ｂ−１’、Ｂ−２’を移動端末５−１が受信したときの移動端末受信日時とを含む断絶エリア出力結果ＭＢ−１’、ＭＢ−２’を表すデータをこの順に、データ放送用記憶領域５６に格納する。
【０１０３】
前述のステップＳ３２、Ｓ３３において、センター通信装置１−１の放送制御部１３は、移動端末５−１からの第１断絶エリア出力結果ＭＢ−１’、ＭＢ−２’を表すデータを受信する。このとき、図２８に示されるように、センター通信装置１−１の放送制御部１３は、第１断絶エリア出力結果ＭＢ−１’、ＭＢ−２’を、その断絶エリア集計データベース１８に格納する。
ここで、ステップＳ３３において、センター通信装置１−１の放送制御部１３は、その断絶エリア集計データベース１８に既に格納されている断絶エリア出力結果に対して上書きせずに、第１断絶エリア出力結果ＭＢ−１’、ＭＢ−２’を、その断絶エリア集計データベース１８に格納する。即ち、センター通信装置１−１の放送制御部１３は、第１断絶エリア出力結果ＭＢ−１’、ＭＢ−２’を、その断絶エリア集計データベース１８に随時格納する。
【０１０４】
また、ステップＳ２２、Ｓ２３において、移動端末５−２の放送制御部５３は、断絶エリア通信装置３−３からの断絶計測エリアＢ−３における出力結果Ｂ−３’を表すデータを受信する。このとき、図２７に示されるように、移動端末５−２の放送制御部５３は、出力結果Ｂ−３’を表すデータと、移動端末５−２を識別する移動端末識別情報と、出力結果Ｂ−３’を移動端末５−２が受信したときの移動端末受信日時とを含む断絶エリア出力結果ＭＢ−３’を表すデータをデータ放送用記憶領域５６に格納する。
【０１０５】
ステップＳ３２、Ｓ３３において、センター通信装置１−２（又はセンター通信装置１−１）の放送制御部１３は、移動端末５−２からの第２断絶エリア出力結果ＭＢ−３’を表すデータを受信する。このとき、図２８に示されるように、センター通信装置１の放送制御部１３は、第２断絶エリア出力結果ＭＢ−３’を、その断絶エリア集計データベース１８に格納する。
ここで、ステップＳ３３において、センター通信装置１−２（又はセンター通信装置１−１）の放送制御部１３は、第２断絶エリア出力結果ＭＢ−３’を、その断絶エリア集計データベース１８に随時格納する。
【０１０６】
また、ステップＳ３２、Ｓ３３において、センター通信装置１−１の放送制御部１３は、移動端末５−３からの第２断絶エリア出力結果ＭＢ−３’’を表すデータを受信する。このとき、センター通信装置１−１の放送制御部１３は、第２断絶エリア出力結果ＭＢ−３’’を、その断絶エリア集計データベース１８に格納する（ステップＳ３３）。
ここで、ステップＳ３３において、センター通信装置１−１の放送制御部１３は、第２断絶エリア出力結果ＭＢ−３’’を、その断絶エリア集計データベース１８に随時格納する。
センター通信装置１−１の通信制御部１２は、第２断絶エリア出力結果ＭＢ−３’’に対する連携格納処理を実行する（ステップＳ５０）。ここで、連携格納処理のステップＳ５３において、センター通信装置１−３〜１−ｘの通信制御部１２は、センター通信装置１−１からの第２断絶エリア出力結果ＭＢ−３’’を受信し、その断絶エリア集計データベース１８に随時格納する。
【０１０７】
ステップＳ４１、Ｓ４２において、例えば、本システムの作業員は、断絶エリア集計データベース１８に格納された断絶エリア出力結果を参照するための通知指示をセンター通信装置１に行なう。このとき、センター通信装置１の通知部１４は、その断絶エリア集計データベース１８に格納された断絶エリア出力結果ＭＢ−１’〜ＭＢ−３’（ＭＢ−３’’）を出力部２０に出力し、移動端末５−１、５−２、５−３を利用する利用者の移動の状態を作業者に通知する。
【０１０８】
このように、本発明の第４実施形態による自動通信システムによれば、移動端末５−ｊは、断絶計測エリアＢ−１〜Ｂ−３における出力結果Ｂ−１’〜Ｂ−３’を受信したとき、断絶エリア出力結果ＭＢ−１’〜ＭＢ−３’を生成している。特定のデータ放送として放送電波６を利用することにより、センター通信装置１は、断絶エリア出力結果ＭＢ−１’〜ＭＢ−３’を移動端末５−ｊから受信し、その断絶エリア集計データベース１８に格納する。その結果、システムの作業員は、断絶エリア出力結果ＭＢ−１’〜ＭＢ−３’に含まれる移動端末受信日時を閲覧（参照）することにより、移動端末５−ｊの利用者の移動経路を推定することができる。例えば、第１断絶エリアとしてＭ個の断絶計測エリアＢ−１、Ｂ−２のうちの１番目の断絶計測エリアＢ−１で既に災害や事件が発生している場合、システムの作業員は、移動端末５−１の利用者が、Ｍ個の断絶計測エリアＢ−１、Ｂ−２のうちの１番目の断絶計測エリアＢ−１からＭ番目の断絶計測エリアＢ−２に移動していることを把握することができる。
Ｍ個の断絶計測エリアＢ−１、Ｂ−２がビル、公園、学校、…を表している場合、システムの作業員は、避難計画を立てたり、それを見直したりすることができる。この観点から、第４実施形態では、断絶していないエリアにおいても、移動端末５−ｊの経路を特定するために、上記の断絶エリア出力結果を移動端末５−ｊに記憶させる構成も有効である。
第４実施形態では、断絶エリア集計データベース１８には、断絶エリア出力結果ＭＢ−１’〜ＭＢ−３’が上書きされずに、随時格納されることが好ましい。
【図面の簡単な説明】
【０１０９】
【図１】図１は、本発明の自動通信システムの構成を示している。（第１実施形態）
【図２】図２は、センター通信装置１の構成を示している。（第１実施形態、第２実施形態）
【図３】図３は、エリア通信装置３−ｉ（ｉ＝１、２、…、ｍ）の構成を示している。（第１実施形態〜第４実施形態）
【図４】図４は、エリア通信装置３−ｉのエリア対応データベース３９を示している。（第１実施形態〜第４実施形態）
【図５】図５は、移動端末５−ｊ（ｊ＝１、２、…、ｎ）の構成を示している。（第１実施形態〜第４実施形態）
【図６】図６は、本発明の自動通信システムの動作を説明するための図である。（第１実施形態）
【図７】図７は、エリア通信装置３−ｉに生成される出力結果Ｂ−ｉ’を示している。（第１実施形態〜第４実施形態）
【図８】図８は、センター通信装置１の正常エリア集計データベース１７を示している。（第１実施形態〜第４実施形態）
【図９】図９は、移動端末５−１のデータ放送用記憶領域５６を示している。（第１実施形態、第２実施形態）
【図１０】図１０は、移動端末５−２のデータ放送用記憶領域５６を示している。（第１実施形態、第２実施形態）
【図１１】図１１は、センター通信装置１の断絶エリア集計データベース１８を示している。（第１実施形態）
【図１２】図１２は、本発明の自動通信システムの動作として第１通信処理を示すフローチャートである。（第１実施形態、第２実施形態）
【図１３】図１３は、本発明の自動通信システムの動作として第１断絶時通信処理を示すフローチャートである。（第１実施形態）
【図１４】図１４は、本発明の第１実施形態による自動通信システムの動作として出力処理を示すフローチャートである。（第１実施形態〜第４実施形態）
【図１５】図１５は、本発明の自動通信システムの構成を示している。（第２実施形態〜第４実施形態）
【図１６】図１６は、本発明の自動通信システムの動作を説明するための図である。（第２実施形態）
【図１７】図１７は、センター通信装置１の断絶エリア集計データベース１８を示している。（第２実施形態）
【図１８】図１８は、本発明の自動通信システムの動作として第２断絶時通信処理を示すフローチャートである。（第２実施形態〜第４実施形態）
【図１９】図１９は、本発明の自動通信システムの動作として連携格納処理を示すフローチャートである。（第２実施形態〜第４実施形態）
【図２０】図２０は、センター通信装置１−１〜１−ｘの構成を示している。（第３実施形態、第４実施形態）
【図２１】図２１は、センター通信装置１−１〜１−ｘのセンター対応データベース１９を示している。（第３実施形態、第４実施形態）
【図２２】図２２は、本発明の自動通信システムの動作を説明するための図である。（第３実施形態）
【図２３】図２３は、センター通信装置１−２により生成される第２断絶エリア出力結果ＭＢ−３’’を示している。（第３実施形態、第４実施形態）
【図２４】図２４は、センター通信装置１−１〜１−ｘの断絶エリア集計データベース１８を示している。（第３実施形態）
【図２５】図２５は、本発明の自動通信システムの動作として第２通信処理を示すフローチャートである。（第３実施形態、第４実施形態）
【図２６】図２６は、移動端末５−１のデータ放送用記憶領域５６を示している。（第３実施形態、第４実施形態）
【図２７】図２７は、移動端末５−２のデータ放送用記憶領域５６を示している。（第３実施形態、第４実施形態）
【図２８】図２８は、センター通信装置１−１〜１−ｘの断絶エリア集計データベース１８を示している。（第４実施形態）
【符号の説明】
【０１１０】
１、１−１〜１−ｘ    センター通信装置
２    通信路
３−１〜３−ｍ、３−ｉ（ｉ＝１、２、…、ｍ）    エリア通信装置
４−１〜４−ｍ、４−ｉ（ｉ＝１、２、…、ｍ）    計測器
５−１〜５−ｎ、５−ｊ（ｊ＝１、２、…、ｎ）    移動端末
６    放送電波
１０    放送アンテナ
１１    制御部
１２    通信制御部
１３    放送制御部
１４    通知部
１５    記憶部
１６    放送ストリーム蓄積部
１７    正常エリア集計データベース
１８    断絶エリア集計データベース
１９    センター対応データベース
２０    出力部
３０    放送アンテナ
３１    制御部
３２    通信制御部
３３    放送制御部
３４    生成部
３５    記憶部
３６    放送ストリーム蓄積部
３９    エリア対応データベース
５０    アンテナ
５１    制御部
５３    放送制御部
５５    記憶部
５６    データ放送用記憶領域
６０    出力部
Ａ、Ａ−１〜Ａ−ｘ    情報収集センターエリア
Ｂ−１〜Ｂ−ｍ、Ｂ−ｉ（ｉ＝１、２、…、ｍ）    計測エリア
Ｂ−１’〜Ｂ−ｍ’、Ｂ−ｉ’（ｉ＝１、２、…、ｍ）    エリア出力結果
“Ａ１”〜“Ａｘ”    センターＩＤ
“Ｂ１”〜“Ｂｍ”、“Ｂｉ”（ｉ＝１、２、…、ｍ）    エリアＩＤ
“００１”〜“００５”    計測器ＩＤ
【図１】
0004536025.tif 000002
【図２】
0004536025.tif 000003
【図３】
0004536025.tif 000004
【図４】
0004536025.tif 000005
【図５】
0004536025.tif 000006
【図６】
0004536025.tif 000007
【図７】
0004536025.tif 000008
【図８】
0004536025.tif 000009
【図９】
0004536025.tif 000010
【図１０】
0004536025.tif 000011
【図１１】
0004536025.tif 000012
【図１２】
0004536025.tif 000013
【図１３】
0004536025.tif 000014
【図１４】
0004536025.tif 000015
【図１５】
0004536025.tif 000016
【図１６】
0004536025.tif 000017
【図１７】
0004536025.tif 000018
【図１８】
0004536025.tif 000019
【図１９】
0004536025.tif 000020
【図２０】
0004536025.tif 000021
【図２１】
0004536025.tif 000022
【図２２】
0004536025.tif 000023
【図２３】
0004536025.tif 000024
【図２４】
0004536025.tif 000025
【図２５】
0004536025.tif 000026
【図２６】
0004536025.tif 000027
【図２７】
0004536025.tif 000028
【図２８】
0004536025.tif 000029